(57)【特許請求の範囲】
【請求項１】
腰ベルトに装着する、工具を保持する工具保持部を有する工具ホルダーのベルト装着体の作成方法であって、
保持する工具が、ドライバー本体（３０）、このドライバー本体（３０）の下部に設けられた該ドライバー本体（３０）よりも細い形態の握り部（３１）、この握り部（３１）の下部に設けられた該握り部（３１）よりも大きいバッテリー部（３２）とからなる充電式ドライバーであって、
前記握り部（３１）を入れて保持する、前記バッテリー部（３２）よりも狭い幅に曲げられ形成された工具保持部（２）を形成する行程と、
前記腰ベルトの外側に位置するベルト前方外側支持部（１１）、ベルト後方外側支持部（１３）を形成する行程と、
前記ベルト前方外側支持部（１１）の上部の内側に形成された、前記腰ベルトの上部縁に載るベルト前方載り部（１０）を形成する行程と、
このベルト前方載り部（１０）の下部に、前記腰ベルトの内側に位置するように形成されたベルト前方内側支持部（９）を形成する行程と、
前記ベルト後方外側支持部（１３）の上部の内側に形成された、前記腰ベルトの上部縁に載るベルト後方載り部（４）を形成する行程と、
このベルト後方載り部（４）の下部に、前記腰ベルトの内側に位置するように形成されたベルト後方内側支持部（５）を形成する行程と、
前記ベルト前方内側支持部（９）と前記ベルト前方外側支持部（１１）の間の隙間である、前記腰ベルトが位置するベルト前方入り部（１２）を形成する行程と、
前記ベルト後方内側支持部（５）と前記ベルト後方外側支持部（１３）の間の隙間である、前記腰ベルトが位置するベルト後方入り部（１４）を形成する行程と、とからなり、
前記工具保持部（２）が、前記ベルト後方内側支持部（５）、前記ベルト後方外側支持部（１３）、前記ベルト前方内側支持部（９）、前記ベルト前方外側支持部（１１）の内のいずれか一つを延長して形成され、
前記ベルト前方載り部（１０）が、前記ベルト前方内側支持部（９）を外側に曲げて形成され、あるいは、前記ベルト前方外側支持部（１１）を内側に曲げて形成され、
前記ベルト後方載り部（４）が、前記ベルト後方内側支持部（５）を外側に曲げて形成され、あるいは、前記ベルト後方外側支持部（１３）を内側に曲げて形成され、
以上の構成が一本の金属製線材ないし金属製棒材が曲げられ形成され、
前記工具保持部（２）は、前記握り部（３１）を手で握ったまま該握り部（３１）を出し入れ操作可能とする非外側向きで上側向きの工具出し入れ口を有し、該工具出し入れ口は前記握り部（３１）が入ることは可能とするが出ることは不可能とする出る動作規制開閉手段が設けられていない形態であることを特徴とする工具ホルダーのベルト装着体の作成方法。
【請求項２】
前記ベルト後方内側支持部（５）、前記ベルト後方外側支持部（１３）、前記ベルト前方内側支持部（９）、前記ベルト前方外側支持部（１１）の内のいずれか一つを上方に延長した保持部上げ延長部（２７）を形成し、該保持部上げ延長部（２７）を延長して前記工具保持部（２）が形成され、
前記保持部上げ延長部（２７）によって前記工具保持部（２）の位置を、充電式ドライバーが保持されている状態で、前記バッテリー部（３２）あるいは前記ドライバー本体（３０）を、腕の肘内側あるいは上腕内側で抑えることができる、腰ベルトよりも上方の位置にしたことを特徴とする請求項１記載の工具ホルダーのベルト装着体の作成方法。
【請求項３】
腰ベルトに装着する、工具を保持する工具保持部を有する工具ホルダーのベルト装着体の作成方法であって、
保持する工具が、ドライバー本体（３０）、このドライバー本体（３０）の下部に設けられた該ドライバー本体（３０）よりも細い形態の握り部（３１）、この握り部（３１）の下部に設けられた該握り部（３１）よりも大きいバッテリー部（３２）とからなる充電式ドライバーであって、
前記握り部（３１）を入れて保持する、前記バッテリー部（３２）よりも狭い幅に曲げられ形成された工具保持部（２）を形成する行程と、
前記腰ベルトの外側に位置するベルト前方外側支持部（１１）を形成する行程と、
このベルト前方外側支持部（１１）の上部の内側に形成された、前記腰ベルトの上部縁に載るベルト前方載り部（１０）を形成する行程と、
このベルト前方載り部（１０）の下部に、前記腰ベルトの内側に位置するように形成されたベルト前方内側支持部（９）を形成する行程と、
前記腰ベルトの内側に位置するように形成されたベルト後方内側支持部（５）を形成する行程と、とを備えてなるとともに、
前記工具保持部（２）が、前記ベルト後方内側支持部（５）を延長して形成され、
以上の構成が一本の金属製線材ないし金属製棒材が曲げられ形成され、
前記工具保持部（２）は、前記握り部（３１）を手で握ったまま該握り部（３１）を出し入れ操作可能とする非外側向きで上側向きの工具出し入れ口を有し、該工具出し入れ口は前記握り部（３１）が入ることは可能とするが出ることは不可能とする出る動作規制開閉手段が設けられていない形態であることを特徴とする工具ホルダーのベルト装着体の作成方法。
【請求項４】
腰ベルトに装着する、工具を保持する工具保持部を有する工具ホルダーのベルト装着体の作成方法であって、
保持する工具が、ドライバー本体（３０）、このドライバー本体（３０）の下部に設けられた該ドライバー本体（３０）よりも細い形態の握り部（３１）、この握り部（３１）の下部に設けられた該握り部（３１）よりも大きいバッテリー部（３２）とからなる充電式ドライバーであって、
前記握り部（３１）を入れて保持する、前記バッテリー部（３２）よりも狭い幅の工具保持部（２）を形成する行程と、
腰ベルトの上部縁に載るベルト後方載り部（４）を形成する行程と、
腰ベルトの後方内側に位置するベルト後方内側支持部（５）を形成する行程と、
腰ベルトの前方内側に位置するベルト前方内側支持部（９）を形成する行程と、
このベルト前方内側支持部（９）の外側に形成された、腰ベルトの上部縁に載るベルト前方載り部（１０）を形成する行程と、
このベルト前方載り部（１０）が上方に形成された、腰ベルト３の前方外側に位置するベルト前方外側支持部（１１）を形成する行程と、とからなり、
前記工具保持部（２）は、前記握り部（３１）を手で握ったまま該握り部（３１）を出し入れ操作可能とする非外側向きで上側向きの工具出し入れ口を有し、該工具出し入れ口は前記握り部（３１）が入ることは可能とするが出ることは不可能とする出る動作規制開閉手段が設けられていない形態に形成されることを特徴とする工具ホルダーのベルト装着体の作成方法。
【発明の詳細な説明】
【技術分野】
【０００１】
本発明は、主に腰ベルトに装着して工具を保持する工具ホルダーのベルト装着体の構造に関する。
【背景技術】
【０００２】
一本の線材で形成された菱形環部材を略中央で二つ折りにした正面（外側）から見て略逆三角形形態であって、ベルトの前方内側に位置するベルト前方内側支持部（前方の差込部４Ａ）と、ベルトの後方内側に位置するベルト後方内側支持部（後方の差込部４Ａ）と、ベルト前方内側支持部が外側に曲がって形成されたベルトの上部縁に載るベルト前方載り部と、ベルト後方内側支持部が外側に曲がって形成されたベルトの上部縁に載るベルト後方載り部と、ベルト前方載り部とベルト後方載り部を下方に曲げて形成した湾曲下部を工具を掛け保持する工具保持部（掛止部４Ｅ）とからなる工具ホルダーが知られている。（例えば特許文献１）
【先行技術文献】
【特許文献】
【０００３】
【特許文献１】特開２００７−３１３５８８号公報
【非特許文献】
【０００４】
【非特許文献１】特になし
【発明の概要】
【発明が解決しようとする課題】
【０００５】
上述した特許文献１の発明は、開放端がない閉じた環部材を略中央で二つ折りにした構成であるために、工具を保持する多様な形態が形成し難い、柔軟性にかけるという欠点を有するものであった。
【０００６】
本発明は以上のような従来技術の欠点に鑑み、ドライバー本体（３０）、このドライバー本体（３０）の下部に設けられた該ドライバー本体（３０）よりも細い形態の握り部（３１）、この握り部（３１）の下部に設けられた該握り部（３１）よりも大きいバッテリー部（３２）とからなる充電式ドライバーの工具ホルダーのベルト装着体の構造を提供することを目的としている。
【課題を解決するための手段】
【０００７】
＜請求項１記載の発明＞
腰ベルトに装着する、工具を保持する工具保持部を有する工具ホルダーのベルト装着体の作成方法であって、
保持する工具が、ドライバー本体（３０）、このドライバー本体（３０）の下部に設けられた該ドライバー本体（３０）よりも細い形態の握り部（３１）、この握り部（３１）の下部に設けられた該握り部（３１）よりも大きいバッテリー部（３２）とからなる充電式ドライバーであって、
前記握り部（３１）を入れて保持する、前記バッテリー部（３２）よりも狭い幅に曲げられ形成された工具保持部（２）を形成する行程と、
前記腰ベルトの外側に位置するベルト前方外側支持部（１１）、ベルト後方外側支持部（１３）を形成する行程と、
前記ベルト前方外側支持部（１１）の上部の内側に形成された、前記腰ベルトの上部縁に載るベルト前方載り部（１０）を形成する行程と、
このベルト前方載り部（１０）の下部に、前記腰ベルトの内側に位置するように形成されたベルト前方内側支持部（９）を形成する行程と、
前記ベルト後方外側支持部（１３）の上部の内側に形成された、前記腰ベルトの上部縁に載るベルト後方載り部（４）を形成する行程と、
このベルト後方載り部（４）の下部に、前記腰ベルトの内側に位置するように形成されたベルト後方内側支持部（５）を形成する行程と、
前記ベルト前方内側支持部（９）と前記ベルト前方外側支持部（１１）の間の隙間である、前記腰ベルトが位置するベルト前方入り部（１２）を形成する行程と、
前記ベルト後方内側支持部（５）と前記ベルト後方外側支持部（１３）の間の隙間である、前記腰ベルトが位置するベルト後方入り部（１４）を形成する行程と、とからなり、
前記工具保持部（２）が、前記ベルト後方内側支持部（５）、前記ベルト後方外側支持部（１３）、前記ベルト前方内側支持部（９）、前記ベルト前方外側支持部（１１）の内のいずれか一つを延長して形成され、
前記ベルト前方載り部（１０）が、前記ベルト前方内側支持部（９）を外側に曲げて形成され、あるいは、前記ベルト前方外側支持部（１１）を内側に曲げて形成され、
前記ベルト後方載り部（４）が、前記ベルト後方内側支持部（５）を外側に曲げて形成され、あるいは、前記ベルト後方外側支持部（１３）を内側に曲げて形成され、
以上の構成が一本の金属製線材ないし金属製棒材が曲げられ形成され、
前記工具保持部（２）は、前記握り部（３１）を手で握ったまま該握り部（３１）を出し入れ操作可能とする非外側向きで上側向きの工具出し入れ口を有し、該工具出し入れ口は前記握り部（３１）が入ることは可能とするが出ることは不可能とする出る動作規制開閉手段が設けられていない形態であることを特徴とする工具ホルダーのベルト装着体の作成方法である。
＜請求項２記載の発明＞
前記ベルト後方内側支持部（５）、前記ベルト後方外側支持部（１３）、前記ベルト前方内側支持部（９）、前記ベルト前方外側支持部（１１）の内のいずれか一つを上方に延長した保持部上げ延長部（２７）を形成し、該保持部上げ延長部（２７）を延長して前記工具保持部（２）が形成され、
前記保持部上げ延長部（２７）によって前記工具保持部（２）の位置を、充電式ドライバーが保持されている状態で、前記バッテリー部（３２）あるいは前記ドライバー本体（３０）を、腕の肘内側あるいは上腕内側で抑えることができる、腰ベルトよりも上方の位置にしたことを特徴とする請求項１記載の工具ホルダーのベルト装着体の作成方法である。
＜請求項３記載の発明＞
腰ベルトに装着する、工具を保持する工具保持部を有する工具ホルダーのベルト装着体の作成方法であって、
保持する工具が、ドライバー本体（３０）、このドライバー本体（３０）の下部に設けられた該ドライバー本体（３０）よりも細い形態の握り部（３１）、この握り部（３１）の下部に設けられた該握り部（３１）よりも大きいバッテリー部（３２）とからなる充電式ドライバーであって、
前記握り部（３１）を入れて保持する、前記バッテリー部（３２）よりも狭い幅に曲げられ形成された工具保持部（２）を形成する行程と、
前記腰ベルトの外側に位置するベルト前方外側支持部（１１）を形成する行程と、
このベルト前方外側支持部（１１）の上部の内側に形成された、前記腰ベルトの上部縁に載るベルト前方載り部（１０）を形成する行程と、
このベルト前方載り部（１０）の下部に、前記腰ベルトの内側に位置するように形成されたベルト前方内側支持部（９）を形成する行程と、
前記腰ベルトの内側に位置するように形成されたベルト後方内側支持部（５）を形成する行程と、とを備えてなるとともに、
前記工具保持部（２）が、前記ベルト後方内側支持部（５）を延長して形成され、
以上の構成が一本の金属製線材ないし金属製棒材が曲げられ形成され、
前記工具保持部（２）は、前記握り部（３１）を手で握ったまま該握り部（３１）を出し入れ操作可能とする非外側向きで上側向きの工具出し入れ口を有し、該工具出し入れ口は前記握り部（３１）が入ることは可能とするが出ることは不可能とする出る動作規制開閉手段が設けられていない形態であることを特徴とする工具ホルダーのベルト装着体の作成方法である。
＜請求項４記載の発明＞
腰ベルトに装着する、工具を保持する工具保持部を有する工具ホルダーのベルト装着体の作成方法であって、
保持する工具が、ドライバー本体（３０）、このドライバー本体（３０）の下部に設けられた該ドライバー本体（３０）よりも細い形態の握り部（３１）、この握り部（３１）の下部に設けられた該握り部（３１）よりも大きいバッテリー部（３２）とからなる充電式ドライバーであって、
前記握り部（３１）を入れて保持する、前記バッテリー部（３２）よりも狭い幅の工具保持部（２）を形成する行程と、
腰ベルトの上部縁に載るベルト後方載り部（４）を形成する行程と、
腰ベルトの後方内側に位置するベルト後方内側支持部（５）を形成する行程と、
腰ベルトの前方内側に位置するベルト前方内側支持部（９）を形成する行程と、
このベルト前方内側支持部（９）の外側に形成された、腰ベルトの上部縁に載るベルト前方載り部（１０）を形成する行程と、
このベルト前方載り部（１０）が上方に形成された、腰ベルト３の前方外側に位置するベルト前方外側支持部（１１）を形成する行程と、とからなり、
前記工具保持部（２）は、前記握り部（３１）を手で握ったまま該握り部（３１）を出し入れ操作可能とする非外側向きで上側向きの工具出し入れ口を有し、該工具出し入れ口は前記握り部（３１）が入ることは可能とするが出ることは不可能とする出る動作規制開閉手段が設けられていない形態に形成されることを特徴とする工具ホルダーのベルト装着体の作成方法である。
【発明の効果】
【０００８】
以上の説明から明らかなように、本発明にあっては次に列挙する効果が得られる。
＜請求項１記載の発明の効果＞
腰ベルトに装着する、工具を保持する工具保持部を有する工具ホルダーのベルト装着体の構造であって、
保持する工具が、ドライバー本体（３０）、このドライバー本体（３０）の下部に設けられた該ドライバー本体（３０）よりも細い形態の握り部（３１）、この握り部（３１）の下部に設けられた該握り部（３１）よりも大きいバッテリー部（３２）とからなる充電式ドライバーであって、
前記握り部（３１）を入れて保持する、前記バッテリー部（３２）よりも狭い幅に曲げられ形成された工具保持部（２）と、
前記腰ベルトの外側に位置するベルト前方外側支持部（１１）、ベルト後方外側支持部（１３）と、
前記ベルト前方外側支持部（１１）の上部の内側に形成された、前記腰ベルトの上部縁に載るベルト前方載り部（１０）と、
このベルト前方載り部（１０）の下部に、前記腰ベルトの内側に位置するように形成されたベルト前方内側支持部（９）と、
前記ベルト後方外側支持部（１３）の上部の内側に形成された、前記腰ベルトの上部縁に載るベルト後方載り部（４）と、
このベルト後方載り部（４）の下部に、前記腰ベルトの内側に位置するように形成されたベルト後方内側支持部（５）と、
前記ベルト前方内側支持部（９）と前記ベルト前方外側支持部（１１）の間の隙間である、前記腰ベルトが位置するベルト前方入り部（１２）と、
前記ベルト後方内側支持部（５）と前記ベルト後方外側支持部（１３）の間の隙間である、前記腰ベルトが位置するベルト後方入り部（１４）と、とからなり、
前記工具保持部（２）が、前記ベルト後方内側支持部（５）、前記ベルト後方外側支持部（１３）、前記ベルト前方内側支持部（９）、前記ベルト前方外側支持部（１１）の内のいずれか一つを延長して形成され、
前記ベルト前方載り部（１０）が、前記ベルト前方内側支持部（９）を外側に曲げて形成され、あるいは、前記ベルト前方外側支持部（１１）を内側に曲げて形成され、
前記ベルト後方載り部（４）が、前記ベルト後方内側支持部（５）を外側に曲げて形成され、あるいは、前記ベルト後方外側支持部（１３）を内側に曲げて形成され、
以上の構成が一本の金属製線材ないし金属製棒材が曲げられ形成され、
前記工具保持部（２）は、前記握り部（３１）を手で握ったまま該握り部（３１）を出し入れ操作可能とする非外側向きで上側向きの工具出し入れ口を有し、該工具出し入れ口は前記握り部（３１）が入ることは可能とするが出ることは不可能とする出る動作規制開閉手段が設けられていない形態である。
＜請求項２記載の発明の効果＞
前記ベルト後方内側支持部（５）、前記ベルト後方外側支持部（１３）、前記ベルト前方内側支持部（９）、前記ベルト前方外側支持部（１１）の内のいずれか一つを上方に延長された保持部上げ延長部を形成し、該保持部上げ延長部の上部に工具保持部が設けられ、該工具保持部が腰ベルトよりも上方に位置するようにしたことを特徴とする請求項１〜５のいずれか１項に記載の工具ホルダーのベルト装着体の構造あるので、請求項１に記載の発明の効果と同様な効果を奏するとともに、次に述べるような効果を奏する。
すなわち、
保持部上げ延長部によって工具保持部が腰ベルトよりも上方に位置するようにしたので、保持された工具の保持部分は腰ベルトよりも高い位置にない、同時に、工具の保持位置も全体として高い位置となるので振れが少なくなり、安定性、携行性のよい工具ホルダーを実現するという効果を奏する。
＜請求項３記載の発明の効果＞
腰ベルトに装着する、工具を保持する工具保持部を有する工具ホルダーのベルト装着体の構造であって、
保持する工具が、ドライバー本体（３０）、このドライバー本体（３０）の下部に設けられた該ドライバー本体（３０）よりも細い形態の握り部（３１）、この握り部（３１）の下部に設けられた該握り部（３１）よりも大きいバッテリー部（３２）とからなる充電式ドライバーであって、
前記握り部（３１）を入れて保持する、前記バッテリー部（３２）よりも狭い幅に曲げられ形成された工具保持部（２）と、
前記腰ベルトの外側に位置するベルト前方外側支持部（１１）と、
このベルト前方外側支持部（１１）の上部の内側に形成された、前記腰ベルトの上部縁に載るベルト前方載り部（１０）と、
このベルト前方載り部（１０）の下部に、前記腰ベルトの内側に位置するように形成されたベルト前方内側支持部（９）と、
前記腰ベルトの内側に位置するように形成されたベルト後方内側支持部（５）と、とを備えてなるとともに、
前記工具保持部（２）が、前記ベルト後方内側支持部（５）を延長して形成され、
以上の構成が一本の金属製線材ないし金属製棒材が曲げられ形成され、
前記工具保持部（２）は、前記握り部（３１）を手で握ったまま該握り部（３１）を出し入れ操作可能とする非外側向きで上側向きの工具出し入れ口を有し、該工具出し入れ口は前記握り部（３１）が入ることは可能とするが出ることは不可能とする出る動作規制開閉手段が設けられていない形態である。
＜請求項４記載の発明の効果＞
腰ベルトに装着する、工具を保持する工具保持部を有する工具ホルダーのベルト装着体の構造であって、
保持する工具が、ドライバー本体（３０）、このドライバー本体（３０）の下部に設けられた該ドライバー本体（３０）よりも細い形態の握り部（３１）、この握り部（３１）の下部に設けられた該握り部（３１）よりも大きいバッテリー部（３２）とからなる充電式ドライバーであって、
前記握り部（３１）を入れて保持する、前記バッテリー部（３２）よりも狭い幅の工具保持部（２）と、
腰ベルトの上部縁に載るベルト後方載り部（４）と、
腰ベルトの後方内側に位置するベルト後方内側支持部（５）と、
腰ベルトの前方内側に位置するベルト前方内側支持部（９）と、
このベルト前方内側支持部（９）の外側に形成された、腰ベルトの上部縁に載るベルト前方載り部（１０）と、
このベルト前方載り部（１０）が下方に形成された、腰ベルト３の前方外側に位置するベルト前方外側支持部（１１）と、とからなり、
前記工具保持部（２）は、前記握り部（３１）を手で握ったまま該握り部（３１）を出し入れ操作可能とする非外側向きで上側向きの工具出し入れ口を有し、該工具出し入れ口は前記握り部（３１）が入ることは可能とするが出ることは不可能とする出る動作規制開閉手段が設けられていない形態である。
【図面の簡単な説明】
【０００９】
【図１】本発明の実施例１の斜視図。
【図２】本発明の実施例１の工具を装着した状態の斜視図。
【図３】本発明の実施例１の腰ベルトに装着した状態の側面図（外側から見た図）。
【図４】本発明の実施例１の工具を正面図（前方から見た図）。
【図５】本発明の実施例２の側面図（外側から見た図）。
【図６】本発明の実施例３の腰ベルトに装着し工具を保持した状態の斜視図。
【図７】本発明の実施例４の腰ベルトに装着した状態の側面図（外側から見た図）。
【図８】本発明の実施例５の斜視図。
【図９】本発明の実施例６の斜視図。
【図１０】本発明の実施例７の斜視図。
【図１１】本発明の実施例７の使用状態を示す斜視図。
【図１２】本発明の実施例８の斜視図。
【図１３】本発明の実施例９の斜視図。
【図１４】本発明の実施例９の側面図（外側から見た図）。
【図１５】本発明の実施例９の背面図（後方から見た図）。
【図１６】本発明の実施例９の使用状態を示す斜視図。
【図１７】本発明の実施例１０の斜視図。
【図１８】本発明の実施例１０の使用状態を示す斜視図。
【図１９】本発明の実施例１０の使用状態を示す斜視図。
【図２０】本発明の実施例１０の押し圧分散プレートを取り付けた状態の斜視図。
【図２１】本発明の実施例１１の斜視図。
【図２２】本発明の実施例１１の使用状態を示す斜視図。
【図２３】本発明の実施例１２の斜視図。
【図２４】本発明の実施例１３の斜視図。
【図２５】本発明の実施例１４の斜視図。
【図２６】本発明の実施例１５の斜視図。
【図２７】本発明の実施例１５の工具を装着した状態の斜視図。
【図２８】本発明の実施例１６の斜視図。
【図２９】本発明の実施例１７の斜視図およびその他の形態を示す斜視図。
【図３０】本発明の実施例１８の斜視図。
【図３１】本発明の実施例１９の斜視図。
【図３２】本発明の実施例２０の斜視図。
【図３３】本発明の実施例２１の斜視図。
【図３４】本発明の実施例２２の斜視図。
【図３５】本発明の実施例２３の斜視図。
【図３６】本発明の実施例２４の斜視図。
【図３７】本発明の実施例２５の分離斜視図。
【図３８】本発明の実施例２５のセット状態斜視図。
【図３９】本発明の実施例２６のベルト装着体の正面図（外側から見た図）、側面図（前方から見た図）、平面図およびセット状態正面図。
【図４０】本出願人が考え出したところの実施例２７のベルト装着体の正面図、側面図、平面図、セット状態正面図およびベルト入り部閉じ手段を取り付け工具保持体をセットした状態側面図。
【図４１】本発明の実施例２８の斜視図。
【図４２】本発明の実施例２９の斜視図。
【図４３】本発明の実施例３０の斜視図。
【図４４】本発明の実施例３１の工具を装着した斜視図。
【発明を実施するための形態】
【００１０】
以下、図面に示す発明を本実施するための最良の形態である実施例を説明する。ただし、本発明はそれら実施例のみに限定される趣旨ではない。また、後述する実施例の説明に当って前述した実施例の構成と同じ構成には同じ符号を付与しその説明を省略する。
【実施例１】
【００１１】
図１〜図４に示す本発明の実施例１において１は工具ホルダーであって、工具ホルダー１は、
一本の太さが４ｍｍ〜６ｍｍの金属製線材Ａ（「金属製棒材」を含む）が曲げられ形成された腰ベルト３に装着する工具ホルダーであって、
工具保持部２に保持する工具がドライバー本体３０、このドライバー本体３０の下部に設けられた握り部３１、この握り部３１の下部に設けられた該握り部３１よりも大きいバッテリー部３２とからなる充電式ドライバーである工具３３の、握り部３１を上から入れて保持するＵ字形態でバッテリー部３２よりも狭い幅に曲げられ形成された工具保持部２と、
この工具保持部２の内側上部位が内側に曲がって形成された、腰ベルト３の上部縁に載るベルト後方載り部４と、
このベルト後方載り部４が下方に曲がって形成された、腰ベルト３の後方内側に位置するベルト後方内側支持部５と、
このベルト後方内側支持部５を下方に延長して形成された後方延長部６と、
この後方延長部６が前方に曲がって形成された連絡部７と、
この連絡部７が上方に曲がって形成された前方延長部８と、
この前方延長部８を上方に延長して形成された、腰ベルト３の前方内側に位置するベルト前方内側支持部９と、
このベルト前方内側支持部９が外側に曲がって形成された、腰ベルト３の上部縁に載るベルト前方載り部１０と、
このベルト前方載り部１０が下方に曲がって形成された、腰ベルト３の前方外側に位置するベルト前方外側支持部１１と、
このベルト前方外側支持部１１とベルト前方内側支持部９間の隙間である、腰ベルト３が位置するベルト前方入り部１２と、
ベルト前方外側支持部１１のベルト前方載り部１０に入った腰ベルト３の下面から下方となる位置に形成された、ベルト入り部閉じ手段３７（環部材、開閉式環部材、粘着テープ、結束バンド、電線ケーブル、針金、コード、マジックテープ（登録商標）に代表される面ファスナーなど）を腰ベルト３にかからずに巻き付けることを可能とした、腰ベルト３の下面からの距離としている部材取付部３８と、
この閉じ手段取付部３８が前方外側あるいは後方（図では外側）に曲がって突出形態とされた、閉じ手段取付部３８が落ちるのを止める止め部３９とからなっている。
ベルト前方内側支持部９とベルト前方外側支持部１１は略平行である。
ベルト入り部閉じ手段８１あるいはベルト入り部閉じ手段５７が添付ないし適宜な箇所に、直接ないしコード、鎖などを介して取り付けてある（図示せず省略）。
【００１２】
溶接などの他の接続手段無しで一本の金属製線材ないし金属製棒材の曲げによって工具ホルダー１は形成されてなるものであるから、製造は曲げ装置に金属製線材ないし金属製棒材が入り該曲げ装置から出るときは工具ホルダー１となっているので、低コストの工具ホルダーを実現できる。
また、腰ベルト３への装着を安全なものにするために、ベルト入り部閉じ手段３７を部材取付部３８に巻き付けることによって、ベルト前方入り部１２から腰ベルト３が外れない閉じベルト前方入り部とできる。これは、腰ベルトに装着前に予め巻き付けておくこともできるし、腰ベルトに装着後に巻き付けることもできる。かつ、腰ベルトを腰に装着したまま、工具ホルダーを腰ベルトから外したり取り付けたりする使用を優先する場合は、ベルト前方入り部１２を巻き付けない状態とし、ベルト前方内側支持部９およびベルト前方外側支持部１１がストレート形態であるので素早く且つスムーズに腰ベルトへの着脱が行えるものである。
また、ベルト前方入り部１２を巻き付けたままでの腰ベルトへの装着状態でも、ベルト前方入り部１２をナイフやニッパー等で切断取り除くことによって、腰ベルトをしたままの状態でも外すことができる。
工具保持部は、Ｕ字形態に限られず、輪形態、波形形態、単なる横棒形態、連続リング形態など保持する工具に適した多様な形態がある。
金属製線材ないし金属製棒材としては、各種特殊綱を含む広義の鋼、狭義の綱、軟鉄、ステンレス鋼、アルミニウム綱（２０００系、６０００系、７０００系）などがある。低コストと軽量化を実現するものとしては鉄系素材からなる軽量ばね綱（主に自動車のばねとして使用されている）がよい。
【実施例２】
【００１３】
図５に示す本発明の実施例２おいて、前記実施例１と主に異なる点は、工具保持部２の外側部位を工具３３のドライバー本体３０の握り部３１の後方の上の方からドライバー本体３０の外側側面に回り込むように延長した延長部３４を形成し、この延長部３４でドライバー本体３０の外側側面に当る工具抑え部３６を形成してなる工具ホルダー１７を形成した点にある。
このように工具抑え部３６によって、工具３３の横振れを防止して安定した携行を実現する。また、工具抑え部３６は握り部３１の後方を回るようにしているので、握り部３１の後方部位に当る握り部位当り部２１を形成して、工具３３が後方側に振れ動かないようにしている。
製造は曲げ装置に金属製線材ないし金属製棒材が入り該曲げ装置から出るときは工具ホルダー１７となっているので、工具抑え部付き工具ホルダーを低コストで実現できる。
【実施例３】
【００１４】
図６に示す本発明の実施例３おいて前記実施例１と主に異なる点は、ベルト抜け止め部１５を設けず、ベルト前方外側支持部１１を下方に延長した延長部２４を形成するとともに、ドライバー本体３０の下方を外側に回り込んで立ち上げられてなる、ドライバー本体３０（工具）の外側側面に当り抑える工具抑え部２２を形成してなる工具ホルダー２３を形成した点にある。
ベルト前方外側支持部１１の下方（延長部２４の場合も含む）を外側に凸曲がり形態で突出させ、閉じ手段取付部３８と止め部３９を形成している。
ベルト前方外側支持部１１には受け面ファスナー４３が設けられ、工具抑え部２２には受け面ファスナー４２が設けられ、止め部３９の下方には抑え面ファスナー帯４１が設けられている。
【００１５】
トリガースナップと呼ばれる開閉式のベルト入り部閉じ手段５７が添付され、ベルト入り部閉じ手段５７をベルト前方外側支持部１１とベルト前方内側支持部９を掴むように閉じ手段取付部３８位置に取り付け、止め部３９で下降しないように止め状態に取り付け、ベルト前方入り部１２の下方を閉じ状態にして、腰ベルトから工具ホルダーが抜けない形態を実現している。
ベルト入り部閉じ手段５７は、工具ホルダーを腰ベルトに腰に装着したままの状態で簡単に取り外しができるので大変便利であり。外したベルト入り部閉じ手段５７は連絡部７などに掛けておけばよい。
開閉式のベルト入り部閉じ手段は、トリガースナップ以外に、なす環、かに環、引き輪など多様なものがある。
【００１６】
止め部３９を形成する凸曲げ部位を設けず、前方延長部８の途中一部を外側に向かってベルト前方外側支持部１１ないし延長部の外側面よりも外側に突出するように曲げ凸形成してなるベルト抜け止め部（図示せず）を形成して、腰ベルト３がベルト前方入り部１２から容易には抜け無いようにするのもよい。
【００１７】
工具３３を工具保持部２に装着して抑え面ファスナー帯４１を受け面ファスナー４３から外して受け面ファスナー４２に係着させてドライバー本体３０部分を、抑え面ファスナー帯４１で上から抑えるように固定する。これによって、工具３３は工具ホルダー２６と一体化された横振れも立て振れも前後振れもできない落下不可能な状態である、極めて安定した保持状態とされ、手を離して身体を大きく動かしても外れない落下しない安全性を実現する。同時に、抑え面ファスナー帯４１を受け面ファスナー４２から外し受け面ファスナー４３に止めおき状態とすることによって、工具３３を素早く軽快に取り出し操作および装着操作を行える。また、工具３３の装着操作、取り出し操作のたびに抑え面ファスナー帯４１の受け面ファスナー４２および受け面ファスナー４３への係着・外し操作は、抑え面ファスナー帯４１の上げ下げ操作のみであるので、
殆ど違和感なく素早く確実にストレスなく行えるものであるので、頻繁に工具の着脱を行う作業にあっても、工具不使用時は抑え面ファスナー帯４１による抑えによる安全な工具保持が常に実現することができるものである。
また、工具３３を工具保持部２に入れる時に抑え面ファスナー帯４１が邪魔になることはなく、かつ、工具３３を持った手を工具保持部２への装着後そのまま抑え面ファスナー帯４１を摘み受け面ファスナー４３から外し受け面ファスナー４２に係着させ、工具３３を抑え状態あるいは工具保持部２の工具出し入れ口を塞いだ状態にできる。
【実施例４】
【００１８】
図７に示す本発明の実施例４おいて前記実施例２と主に異なる点は、ベルト抜け止め部１５を設けず、ベルト前方外側支持部１１が後方に曲がった係止手段取付部４４を形成、この係止手段取付部４４を上方に延長した延長部４５を形成し、この延長部４５が前方に曲がった係止手段取付部４６を形成し、工具保持部２に保持された工具３３のドライバー本体３０を上方から抑える抑え面ファスナー帯４１が係止手段取付部４４にその下方を取り付け設けられ、この抑え面ファスナー帯４１が工具を抑えた状態で係着される受け面ファスナー４２が延長部３４から工具抑え部３６の適宜な部位に設けられ、抑え面ファスナー帯４１を第１の受け面ファスナー４２から外した状態で工具３３を工具保持部２に装着する際に工具３３の下にならないように係止しておくための抑え面ファスナー帯４１が係着する受け面ファスナー４３を係止手段取付部４６に取り付けてなる工具ホルダー２６を形成した点にある。
抑え面ファスナー帯４１による工具の抑え解放操作は前記実施例３と同様であり、抑え面ファスナー４１を受け面ファスナー４２から離し、そのまま抑え面ファスナー４１の自然な起こし方向の位置に受け面ファスナー４３が位置されている。
抑え面ファスナー帯４１の起きた外側面先端には面ファスナー（ループ）が刈り取るなどして設けられておらず、受け面ファスナー４２（フック）に係着（フックがループに掛かって接合した状態）した状態で、手袋をした指で摘みやすくしている。面ファスナーには、ループとフックによる係着、キノコ形のフックとキノコ形のフックによる係着など多様な形態のものがあり、フックとループの係着形態のものに限定されない。
係止手段取付部４４、延長部４５、係止手段取付部４６とで形成されている部位は請求項７記載の立ち上がり部に該当する。
【００１９】
係止手段取付部４６を設けない構成とし、受け面ファスナー４３を延長部４５に取り付ける構成とするのもよい。この場合にあっての延長部４５は係止手段取付部である。
係止手段４４のベルト前方外側支持部１１側の曲がり部分は止め部３９となっており、ベルト前方外側支持部１１の下方は閉じ手段取付部３８となっている。
【実施例５】
【００２０】
図８に示す本発明の実施例５おいて、前記実施例１と主に異なる点は、ベルト抜け止め部１５を設けず、ベルト前方外側支持部１１が後方に曲がった係止手段取付部４４を形成し、この係止手段４４が上方に曲がった延長部４５を形成し、この延長部４５が前方に曲がった係止手段取付部４６を形成し、この係止手段取付部４６が下方に曲がった延長部４７を形成し、この延長部４７を工具３３のドライバー本体３０の下方にから回すようにして該ドライバー本体３０の外側側面を抑える工具抑え部４８を形成し、工具保持部２に保持された工具３３のドライバー本体３０を上方から抑える抑え面ファスナー帯４１が係止手段取付部４４にその下方を取り付け設けられ、この抑え面ファスナー帯４１が工具を抑えた状態で係着される受け面ファスナー４２が工具抑え部４８の適宜な部位に設けられ、抑え面ファスナー帯４１を第１の受け面ファスナー４２から外した状態で工具３３を工具保持部２に装着する際に工具３３の下にならないように係止しておくための抑え面ファスナー帯４１が係着する受け面ファスナー４３を係止手段取付部４６に取り付けてなる工具ホルダー４９を形成した点にある。
係止手段４４のベルト前方外側支持部１１側の曲がり部分は止め部３９となっており、ベルト前方外側支持部１１の下方は閉じ手段取付部３８となっている。
ベルト入り部閉じ手段８１あるいはベルト入り部閉じ手段５７が添付ないし適宜な箇所に、直接ないしコード、鎖などを介して取り付けてある（図示せず省略）。
【実施例６】
【００２１】
図９に示す本発明の実施例６おいて工具ホルダー５３は、
一本の金属製線材Ａ（「金属製棒材」を含む）が曲げられ形成された腰ベルト３に装着する工具ホルダー１であって、工具保持部２と、
この工具保持部２の内側部位が前方に延びた延長部５１が上方に曲がって形成されたベルト前方外側支持部１１と、
このベルト前方外側支持部１１が内側に曲がって形成された、腰ベルト３の上部縁に載るベルト前方載り部１０と、
このベルト前方載り部１０が下方に曲がって形成された、腰ベルト３の前方内側に位置するベルト前方内側支持部９と、
このベルト前方内側支持部９とベルト前方外側支持部１１間の隙間である、腰ベルトが位置するベルト前方入り部１２と、
このベルト前方内側支持部９を下方に延長して形成された前方延長部８と、
この前方延長部８が後方に曲がって形成された連絡部７と、
この連絡部が上方に曲がって形成された後方延長部６と、
この後方延長部６を上方に延長して形成された、腰ベルト３の後方内側に位置するベルト後方内側支持部５と、
このベルト後方内側支持部５が外側に曲がって形成された、腰ベルト３の上部縁に載るベルト後方載り部４と、
このベルト後方載り部４が下方に曲がって形成された、腰ベルト３の後方外側に位置するベルト後方外側支持部１３と、
このベルト後方外側支持部１３とベルト後方内側支持部５間の隙間である、腰ベルト３が位置するベルト後方入り部１４と、
ベルト後方外側支持部１３のベルト後方載り部４に入った腰ベルト３の下面から下方となる位置に形成された、ベルト入り部閉じ手段３７（粘着テープ、結束バンド、電線ケーブル、針金、コード、マジックテープ（登録商標）に代表される面ファスナーなど）を腰ベルト３にかからずに巻き付けることを可能とした、腰ベルト３の下面からの距離としている閉じ部材取付部３８と、
この閉じ手段取付部３８が前方外側あるいは後方（図では外側）に曲がって突出形態とされた、閉じ手段取付部３８が落ちるのを止める止め部３９とからなっている。
【実施例７】
【００２２】
図１０、図１１に示す本発明の実施例７おいて５５は工具ホルダーであって、この工具ホルダー５５は、
一本の金属製線材Ａ（「金属製棒材」を含む）が曲げられ形成された腰ベルト３に装着する工具ホルダーであって、
工具３３を保持する工具保持部２と、
この工具保持部２が下方に曲がって形成された、少し外側に傾き形態にして工具保持部２を使用者の身体から離す形態にする保持部上げ延長部２７と、
この保持部上げ延長部２７を下方に略垂直に延長して形成された、腰ベルト３の後方内側に位置するベルト後方内側支持部５と、
このベルト後方内側支持部５を下方に延長して形成された後方延長部６と、
この後方延長部６が前方に曲がって形成された内側部位連絡部１８と、
この内側部位連絡部１８が上方に曲がって形成された前方延長部８と、
この前方延長部８を上方に延長して形成された、腰ベルト３の前方内側に位置するベルト前方内側支持部９と、
このベルト前方内側支持部９が外側に曲がって形成された、腰ベルト３の上部縁に載るベルト前方載り部１０と、
このベルト前方載り部１０が下方に曲がって形成された、腰ベルト３の前方外側に位置するベルト前方外側支持部１１と、
このベルト前方外側支持部１１とベルト前方内側支持部９間の隙間である、腰ベルト３が位置するベルト前方入り部１２と、
ベルト前方外側支持部１１が後方に曲がって形成された外側部位連絡部１９と、
この外側部位連絡部１９が上方に曲がってベルト後方内側支持部５より前方位置に形成された、腰ベルト３の後方外側に位置するベルト後方外側支持部１３と、
このベルト後方外側支持部１３が内側に曲がって形成された、腰ベルト３の上部縁に載るとともにベルト後方内側支持部５が前方に動くのを規制する支持部位規制部としても機能するベルト後方載り部４と、
ベルト後方外側支持部１３とベルト後方内側支持部５間の隙間である、腰ベルト３が位置するベルト後方入り部１４と、
ベルト後方載り部４が後方（ベルト後方外側支持部１３がベルト後方内側支持部５より後方に位置する場合は前方）曲がってベルト後方内側支持部５の内側面が当る形態に形成された、ベルト後方入り部１４が広がらないように規制する支持部位規制部２０と、
この支持部位規制部２０が外側に曲がって形成された、ベルト後方内側支持部５後方に位置して該ベルト後方内側支持部５が後方に動くのを規制する支持部位規制部５６と、
ベルト前方外側支持部１１のベルト前方載り部１０に入った腰ベルト３の下面から下方となる位置に形成された、ベルト前方入り部ないしベルト後方入り部の下方を閉じ状態にするベルト入り部閉じ手段３７（環部材、粘着テープ、結束バンド、電線ケーブル、針金、コード、マジックテープ（登録商標）に代表される面ファスナーなど）を、腰ベルト３にかからずに取り付けことを可能とした、腰ベルト３の下面からの距離としている部材取付部３８と、
この閉じ手段取付部３８が前方外側あるいは後方（図では外側）に曲がって突出形態とされた、閉じ手段取付部３８が落ちるのを止める止め部３９とからなっている。
工具保持部２、保持部上げ延長部２７、支持部位規制部５６、支持部位規制部２０以外の部位でベルト装着体を形成している。このベルト装着体のみにあっては、ベルト後方載り部４の端はベルト載り部側開放端であり、ベルト後方内側支持部５の端は支持部側開放端とあり、ベルト載り部側開放端、支持部側開放端を延長し曲げて工具保持部や工具抑え部など、工具の保持に必要であり効果的な構成を形成することが自在に行える工具ホルダーのベルト装着体を形成する。
ベルト入り部閉じ手段８１あるいはベルト入り部閉じ手段５７が添付ないし適宜な箇所に、直接ないしコード、鎖などを介して取り付けてある（図示せず省略）。
【００２３】
ベルト前方外側支持部１１およびベルト後方外側支持部１３は装着された腰ベルト３よりも長く、下方に２０ｍｍの粘着テープからなるベルト入り部閉じ手段３７を巻き付けても腰ベルト３にはかからない距離である閉じ手段取付部３８、３８とされ、外側部位連絡部１９の閉じ手段取付部３８、３８からの曲がり部位は、ベルト入り部閉じ手段３７がそれ以上下方に行かないようにする止め部３９、３９となっている。
ベルト入り部閉じ手段３７には、粘着テープ、結束バンド、電線ケーブル、針金、コード、マジックテープ（登録商標）に代表される面ファスナーなどがある。
本実施例では閉じ手段取付部３８、３８の距離は２０ｍｍ以上としている。
また、ベルト前方載り部１０およびベルト後方載り部４から外側部位連絡部１９（止め部３９、３９）の上面までの距離は７０ｍｍ以上あるいは６５ｍｍ〜７０ｍｍ程度としている。
ベルト前方外側支持部１１とベルト前方内側支持部９は略平行である。ベルト後方外側支持部１３とベルト後方内側支持部５は略平行である。
【００２４】
金属製線材Ａ（「金属製棒材」を含む）は直径４ｍｍのスプリング素材であり、革手袋をした手で保持部上げ延長部２７の倒れ角度などを曲げて、保持する工具に合わせた形態に変形することが可能であるとともに、一般的に使用する充電ドライバーの重量程度では曲がらない強靱さとしなやかさを有している。また、ステンレスと比べると軽量である。
寸法の概略は図１４、図１５に示している。
ベルト後方載り部４（下面）から工具保持部２の握り部３１の後方面が当る部位（工具保持部２の最下部位）までの距離は略１００ｍｍ（７０ｍｍ〜１２０ｍｍ程度であればよい）である。すなわち腰ベルトの上縁から工具保持部２の最下部位までの距離が前記の距離である。このくらいの虚位とすることによって、工具保持部２に保持されている工具３３のバッテリー部３２の外側側面を腕の肘内側あるいはから上腕内側（こちらの方が抑えが楽である）で抑えることができる高さ位置である、あるいは前記ドライバー本体３０の外側側面を腕の肘内側あるいはから上腕内側で抑えることができる高さ位置である。また、ドライバー本体３０の位置が腰ベルトの略高さ位置となる。（上腕内側ないし肘で工具３３を抑えているイメージは図４３参照。）
【００２５】
ベルト抜け止め部５７、ベルト抜け止め部５８によって、腰ベルト３がベルト前方入り部１２、１４から容易には抜け無いようになっている。
ベルト抜け止め部５７、ベルト抜け止め部５８は、腰ベルト３を腰に装着して解かないまま上下移動で着脱がし易いように、ベルト前方外側支持部１１、ベルト後方外側支持部１３の内側面に当接ないし近接した形態とするのもよい。これでも腰ベルト３と身体の間に位置され該腰ベルト３に常に当接しているベルト前方内側支持部９、ベルト後方内側支持部５のベルト抜け止め部５７、ベルト抜け止め部５８は、上方に移動しても確実に腰ベルト３の下縁に当り確実に抜けるのを阻止するように機能する。
ベルト抜け止め部５７、ベルト抜け止め部５８を形成する箇所は、ベルト後方内側支持部５、ベルト前方内側支持部９に限定されず、前方延長部８、後方延長部６に設ける形態もよいし、ベルト前方外側支持部１１、ベルト後方外側支持部１３に設ける形態もよい。
ベルト前方外側支持部１１、ベルト後方外側支持部１３に設ける形態は、腰ベルト３を身体に装着したままの状態での、上下移動させての装着取り外しは、外側部位連絡部１９に指を掛け外側に引いて開いての出し入れができるので、腰ベルトからの着脱操作が行いやすいものとなる。
支持部位規制部５６が前方に曲げられてベルト後方内側支持部５の外側面を規制する支持部位規制部を形成してもよい。
【００２６】
支持部位規制部２０、支持部位規制部５６を形成できるベルト載り部はベルト後方載り部の場合もあればベルト前方載り部の場合もあり、ベルト後方外側支持部、ベルト後方内側支持部、ベルト前方外側支持部あるいはベルト前方内側支持部の外側から内側に曲がって形成される形態、内側から外側に曲がって形成される形態があり、それも持部位規制部５６を形成できるベルト載り部はベルト後方載り部の場合もあればベルト前方載り部の前方側あるいは後方側に位置する形態がある。
【００２７】
請求項３〜７の「この工具保持部あるいはその延長が下方に曲がって形成された、腰ベルトの後方内側に位置するベルト後方内側支持部」という事項は、工具保持部２あるいはその延長が下方に曲がって保持部上げ延長部２７のような延長部に続いてベルト後方内側支持部がある形態もその技術的範疇に含むものである。
これは後述するような保持上げ延長部２７がベルト前方内側支持部に連絡された形態も同様であり、保持上げ延長部２７が連絡された部位がベルト後方外側支持部あるいはベルト前方外側支持部であっても同様である。
【実施例８】
【００２８】
図１２に示す本発明の実施例８おいて前記実施例７と主に異なる点は、支持部位規制部５６を外側に延長して延長部３４を形成し、その一部が工具３３の握り部３１の後方面が当る握り部位当り部２１とし、ベルト後方外側支持部１３およびベルト前方外側支持部１１が内側に曲がって腰ベルト３のベルト後方入り部１４とベルト前方入り部１２からの抜けを阻止するベルト抜け止め部６１、６２を形成し、これによって外側部位連絡部１９の内側面がベルト後方内側支持部５およびベルト前方内側支持部９の内側面と略同じ位置になる内側に突出させてなる形態とした工具ホルダー６３を形成した点にある。
【００２９】
内側部位連絡部１８、後方延長部６および前方延長部８の内側面に、使用者によって腿への内側部位連絡部１８の当りを分散させあたり心地をよくするために適当なプレート２８（ダンボール板、プラスチック板、木板、ゴム板など）が幅広の粘着テープ２９（縦巻き）、２９（横巻き）によって取り付けている。
プレート２８がダンボール板、何枚も重ねた新聞紙・雑誌などの重ね紙材、ゴム製部材、発泡樹脂製部材などの曲げることができるもののである場合は、内側部位連絡部１８の下部で折り曲げて内側部位連絡部１８、後方延長部６および前方延長部８の内側面および外側面の両面を覆うように取り付けるのがよい。
粘着テープ２９はプレート２８の内側面にも巻かれ、その表面の剥離剤によって、ズボンとの擦れが低摩擦でおこなわれるようにしている。このような使用方法を、「内側部位連絡部の腿への当りが気になる方へ。解消方法。」などとして、取扱説明書等で紹介している。
これは、工具保持部２とは別部位であり且つ腰ベルトから下方に離れ、腿に当る形態の部位である連絡部７、内側部位連絡部１８を有する実施例の全てにいえるものである。
工具保持部２、保持部上げ延長部２７、延長部３４以外の部位でベルト装着体を形成している。
【実施例９】
【００３０】
図１３〜図１６に示す本発明の実施例９おいて前記実施例８と主に異なる点は、延長部３４を延長して工具３３のドライバー本体３０の外側面に当り抑える工具抑え部３６を形成してなる工具ホルダー６５を形成した点にある。
【００３１】
ベルト前方入り部１２およびベルト後方入り部１４は、幅が略３ｍｍ〜７ｍｍ（実施例では略５ｍｍ）の平行隙間であり、これを形成するベルト前方内側支持部９とベルト前方外側支持部１１、ベルト後方内側支持部５とベルト後方外側支持部１３は略垂直であり、工具保持部２を有さない側にあては（図１３ではベルト前方載り部側）環部材からなるベルト入り部閉じ手段４０を上方から出入して（着脱自在）、ベルト前方入り部１２の下方を閉じたり開放したりすることができるようにしている。
ベルト入り部閉じ手段４０は添付ないし鎖などで外側部位連絡部１９にぶら提げ形態（図ではコードないし鎖からなる吊手段３５で吊状態（ぶら提げ形態））で設けている。
工具保持部２、保持部上げ延長部２７、延長部３４、工具抑え部３６以外の部位でベルト装着体を形成している。
ベルト後方内側支持部５の内側面から工具保持部２の内側部位までの距離は５０ｍｍ程度となっているが、２０ｍｍ程度ないしそれ以内（垂直も含む）とするのもよい。この場合、工具抑え部３６の背面図から見て外側部位は３０ｍｍ程度内側位置とするのがよい。
また、延長部３４ないし工具抑え部３６はベルト装着体とは別部材として、溶接、管差し込みカシメ連結などによって接合して設けるのもよい。
【実施例１０】
【００３２】
図１７〜図２０に示す本発明の実施例１０おいて前記実施例９と主に異なる点は、外側部位連絡部１９に抑え面ファスナー帯４１を設け、保持部上げ延長部２７に受け面ファスナー４３を前方に延びるように設け、工具抑え部３６に受け面ファスナー４２を設けてなる工具ホルダー６７を形成した点にある。
図２０において、外側部位連絡部１９に掛けて内側部位連絡部１８内側に位置させてなる、内側部位連絡部１８の腿への押し当たりを分散しやわらげる押し圧分散プレート６８が取り付けている。
【００３３】
工具３３を工具保持部２に装着して抑え面ファスナー帯４１を受け面ファスナー４３から外して受け面ファスナー４２に係着させてドライバー本体３０部分、抑え面ファスナー帯４１で上から抑えるように固定する。これによって、工具３３は工具ホルダー２６と一体化された横振れも立て振れも前後振れもできない落下不可能な状態である、極めて安定した保持状態とされ、手を離して身体を大きく動かしても外れない落下しない安全性を実現する。同時に、抑え面ファスナー帯４１を受け面ファスナー４２から外し受け面ファスナー４３に止めおき状態とすることによって、工具３３を素早く軽快に取り出し操作および装着操作を行える。また、工具３３の装着操作、取り出し操作のたびに抑え面ファスナー帯４１の受け面ファスナー４２および受け面ファスナー４３への係着・外し操作は、抑え面ファスナー帯４１の上げ下げ操作のみであるので。殆ど違和感なく素早く確実にストレスなく行えるものであるので、頻繁に工具の着脱を行う作業にあっても、工具不使用時は抑え面ファスナー帯４１による抑えによる安全な工具保持が常に実現することができるものである。
また、係止手段取付部４６を設けない構成とし、受け面ファスナー４３を延長部４５に取り付ける構成とするのもよい。この場合にあっての延長部４５は係止手段取付部である。
【００３４】
図１９に示すように、抑え面ファスナー帯４１を予め受け面ファスナー４２に係着させた状態としておくことによって、装着した工具３３のドライバー本体３０の底部が抑え面ファスナー帯４１の上に載って保持された保持形態となる。この状態では、激しい上下動作などでは工具３３が外れ落下する危険はあるが、平地面などでの頻繁な工具の取り出し装着行為が行われる場合などでは、工具の保持安定性がよく携行性および取り出し装着操作がよりスピーディに行えるとともに、安定した保持携行が使用者に安心・信頼感を与える。
工具３３を工具保持部２に入れる時に抑え面ファスナー帯４１が邪魔になることはなく、かつ、工具３３を持った手を工具保持部２への装着後そのまま抑え面ファスナー帯４１を摘み受け面ファスナー４３から外し受け面ファスナー４２に係着させ、工具３３を抑え状態あるいは工具保持部２の工具出し入れ口を塞いだ状態にできる。
【実施例１１】
【００３５】
図２１、図２２に示す本発明の実施例１１おいて前記実施例７と主に異なる点は、支持部位規制部５６が下方に曲がって形成した延長部７０を形成し、延長部７０を下から工具保持部２に装着した工具３３のドライバー本体３０の外側側面に回り込んでドライバー本体３０の外側面に当り抑える工具抑え部７１を形成し、外側部位連絡部１９に抑え面ファスナー帯４１を設け、保持部上げ延長部２７に受け面ファスナー４３を前方に延びるように設け、工具抑え部７１に受け面ファスナー４２を設けてなる工具ホルダー７２を形成した点にある。
工具保持部２、保持部上げ延長部２７、延長部７０、工具抑え部７１以外の部位でベルト装着体を形成している。
ベルト入り部閉じ手段８１あるいはベルト入り部閉じ手段５７が添付ないし適宜な箇所に、直接ないしコード、鎖などを介して取り付けてある（図示せず省略）。
【実施例１２】
【００３６】
図２３に示す本発明の実施例１２おいて前記実施例８と主に異なる点は、ベルト抜け止め部６１、６２を形成せず、ベルト後方外側支持部１３およびベルト前方外側支持部１１を前方下向きに延長して延長部７３とし、この延長部７３が工具保持部２に保持した工具３３のドライバー本体３０の下方から回り込んで、該ドライバー本体３０の外側側面に当り抑える工具抑え部７４を形成し、延長部３４を後方に曲げ上げて受け面ファスナー４３を設けてなる工具ホルダー７５を形成した点にある。
ベルト後方外側支持部１３およびベルト前方外側支持部１１から延長部７３への曲がり部位は止め部３９を形成し、それに連絡するベルト後方外側支持部１３およびベルト前方外側支持部１１の下方は閉じ手段取付部３８を形成している。
工具保持部２の外側線部位には受け面ファスナー４２（マジックテープ（登録商標）など）が設けられ、保持部上げ延長部２７の上部には受け面ファスナー４２に係着される抑え面ファスナー帯４１がその下部先端側を取り付け設けられている。工具保持部２に保持されている工具３３の握り部３１のバッテリー部３２への首部分を抑え面ファスナー帯４１を受け面ファスナー４２に係着させて、工具保持部２から外れないように保持することができ、安全な保持を実現している。
延長部３４はベルト後方外側支持部１３、ベルト前方外側支持部１１の上方で抑え面ファスナー帯４１が位置する部位までに曲げ上げられ、それに受け面ファスナー４３を設け、抑え面ファスナー帯４１が前方に倒れないように係止している。これによって、工具３３を工具保持部２に入れる時に抑え面ファスナー帯４１が邪魔になることはなく、かつ、工具３３を持った手を工具保持部２への装着後そのまま抑え面ファスナー帯４１を摘み受け面ファスナー４３から外し受け面ファスナー４２に係着させ、工具３３を抑え状態あるいは工具保持部２の工具出し入れ口を塞いだ状態にできる。
延長部３４は請求項７記載の立ち上がり部に該当する。
工具保持部２、保持部上げ延長部２７、延長部３４、止め部３９、外側部位連絡部１９、工具抑え部７４以外の部位でベルト装着体を形成している。
ベルト入り部閉じ手段８１あるいはベルト入り部閉じ手段５７が添付ないし適宜な箇所に、直接ないしコード、鎖などを介して取り付けてある（図示せず省略）。
【実施例１３】
【００３７】
図２４に示す本発明の実施例１３おいて前記実施例１２と主に異なる点は、工具抑え部７４の形態を内絞り形態としてなる工具ホルダー７７を形成した点にある。
工具保持部２、保持部上げ延長部２７、延長部３４、外側部位連絡部１９、工具抑え部７４、延長部７３以外の部位でベルト装着体を形成している。
ベルト入り部閉じ手段８１あるいはベルト入り部閉じ手段５７が添付ないし適宜な箇所に、直接ないしコード、鎖などを介して取り付けてある（図示せず省略）。
【実施例１４】
【００３８】
図２５に示す本発明の実施例１４おいて前記実施例８と主に異なる点は、ベルト抜け止め部６１、６２を形成せず、ベルト後方外側支持部１３およびベルト前方外側支持部１１を上方に曲げ延長部７９とし、延長部７９の先端に受け面ファスナー４３（マジックテープ（登録商標）など）を設け、工具保持部２の外側線部位に受け面ファスナー４２を設け、保持部上げ延長部２７の上部には受け面ファスナー４２と受け面ファスナー４３とに係着される抑え面ファスナー帯４１がその下部先端側を取り付け設けられてなる工具ホルダー８０を形成した点ある。
ベルト前方内側支持部９とベルト前方外側支持部１１を通して、環部材（円リング、長方形リング、楕円リングなどいろいろな形態ある）からなるベルト入り部閉じ手段８１を、閉じ手段取付部３８および止め部３９位置に位置させ、ベルト前方入り部２の下方を閉じ状態として、腰ベルトから工具ホルダーが外れないようにしている。
延長部７９は請求項７記載の立ち上がり部に該当する。
工具保持部２、保持部上げ延長部２７、延長部３４、外側部位連絡部１９、延長部７９以外の部位でベルト装着体を形成している。
【実施例１５】
【００３９】
図２６、図２７に示す本発明の実施例１５おいて前記実施例７と主に異なる点は、支持部位規制部５６を上方へ前方傾斜外側倒れ形態で延長した保持部上げ延長部８２を形成し、この保持部上げ延長部８２が外側にＵ字形態曲がった工具３３の握り部３１のドライバー本体３０に近い部位が入る工具保持部８３を形成し、ベルト後方外側支持部１３、ベルト前方外側支持部１１を下方に延長し、ベルト後方外側支持部１３、ベルト前方外側支持部１１の中途であるベルト後方入り部１４およびベルト前方入り部１２に入った腰ベルト３の下面から下方に２０ｍｍ以上の距離を開けて外側に曲げ突出させて止め部３９、３９を形成し、前記２０ｍｍ以上の距離部分をベルト入り部閉じ手段３７（粘着テープ、結束バンド、電線ケーブル、針金、コード、マジックテープ（登録商標）に代表される面ファスナーなど）を巻き付け可能とした閉じ手段取付部３８、３８としてなる工具ホルダー８４を形成した点にある。
工具３３は握り部３１のバッテリー部３２側を工具保持部２に入れ、握り部３１のドライバー本体３０側を工具保持部８３に入れ保持する使用形態となっている。
工具保持部２、保持部上げ延長部２７、延長部７３、工具抑え部７４、横棒部８６、立ち上がり部８７以外の部位でベルト装着体を形成している。
ベルト入り部閉じ手段８１あるいはベルト入り部閉じ手段５７が添付ないし適宜な箇所に、直接ないしコード、鎖などを介して取り付けてある（図示せず省略）。
【００４０】
内側部位連絡部１８に、使用者によって腿への内側部位連絡部１８の当りを分散させあたり心地をよくするために適当なプレート２８（ダンボール板、プラスチック板、木板、ゴム板など）が幅広の粘着テープ２９によって取り付けている。
粘着テープ２９はプレート２８の内側面にも巻かれ、その表面の剥離剤によって、ズボンとの擦れが低摩擦でおこなわれるようにしている。このような使用方法を取扱説明書に紹介している。
これは、工具保持部２とは別部位であり且つ腰ベルトから下方に離れ、腿に当る形態の部位である連絡部７、内側部位連絡部１８を有する実施例の全てにいえるものである。
【実施例１６】
【００４１】
図２８に示す本発明の実施例１６おいて前記実施例７と主に異なる点は、ベルト後方外側支持部１３およびベルト前方外側支持部１１を前方下向きに延長して延長部７３とし、この延長部７３が工具保持部２に保持した工具３３のドライバー本体３０の下方から回り込んで、該ドライバー本体３０の外側側面に当り抑える工具抑え部７４、７４（いずれかが当ればよい）を形成し、ベルト後方外側支持部１４がベルト後方内側支持部５の後方側位置で内側に向けて曲がってベルト後方載り部４を形成し、このベルト後方載り部４がベルト後方内側支持部５の内側位置で前方に曲がって支持部位規制部２０を形成し、この支持部位規制部２０が前方に延長された横棒部８６を形成し、この横棒部８６が上方に曲がった立ち上がり部８７を形成し、この立ち上がり部８７が後方に曲がった係止手段取付部８８を形成し、横棒部８６には抑え面ファスナー帯４１が下部を取り付けられて設けられ、係止手段取付部８８には受け面ファスナー４３が設けられ、外側部位連絡部１９には受け面ファスナー４２が設けられてなる工具ホルダー８９を形成した点にある。
立ち上がり部８７は外側に倒れるように傾いていて、身体に当るのを回避している。
延長部７３の前方側と後方側ではその高さ位置が前方の方が高い位置とされ、外側部位連絡部１９は前方側を高くして傾いている。握り部３１の長い工具３３の場合には、ドライバー本体３０の下となっている面が延長部７３の前方側あるいは後方側の部位に当接して保持され、バッテリー部３２は工具保持部２から浮いた状態で握り部３１が倒れないように保持される。
ベルト入り部閉じ手段８１あるいはベルト入り部閉じ手段５７が添付ないし適宜な箇所に、直接ないしコード、鎖などを介して取り付けてある（図示せず省略）。
【００４２】
横棒部８６を設けず、ルト後方載り部４から前方斜め上向きに支持部位規制部２０を形成しそのまま延長（湾曲延長含む）する形態で立ち上がり部８７を形成し、該立ち上がり部８７の頂点ないし適宜な位置に受け面ファスナー４３を設ける形態もよい。
前述した形態およびこのような形態も、請求項７の「このベルト後方載り部が前方に曲がって形成された、面ファスナーを取り付けるための立ち上がり部」とう事項の技術的範囲に含まれものである。
横棒部８６、立ち上がり部８７、係止手段取付部８８によって形成されている部位は請求項７記載の立ち上がり部に該当する。
【実施例１７】
【００４３】
図２９に示す本発明の実施例１７おいて前記実施例１６と主に異なる点は、立ち上がり部８７を設けない構成とし、横棒部８６をベルト前方内側支持部９の前方側から外側に曲がって腰ベルト３の上部縁に載るベルト前方載り部１０を形成し、ベルト前方内側支持部９およびベルト前方外側支持部１１を上方に延長してなる立ち上がり部９２を形成し、受け面ファスナー４３を保持部上げ延長部２７に前方に突き出す形態で設けてなる工具ホルダー９１を形成した点にある。
立ち上がり部９２には、吊りコードを設けた他の工具を吊り下げる等に利用することができる。
工具保持部２、保持部上げ延長部２７以外の部位でベルト装着体を形成している。このベルト装着体のみにあっては、ベルト前方載り部１０の端はベルト載り部側開放端であり、ベルト後方内側支持部５の端は支持部側開放端とあり、ベルト載り部側開放端、支持部側開放端を延長し曲げて工具保持部や工具抑え部など、工具の保持に必要であり効果的な構成を形成することが自在に行える工具ホルダーのベルト装着体を形成している。
また、図２９の（ａ）図のベルト装着体のみにあっては、ベルト前方載り部１０の端はベルト載り部側開放端であり、ベルト後方外側支持部１３の端は支持部側開放端とあり、ベルト載り部側開放端、支持部側開放端を延長し曲げて工具保持部や工具抑え部など、工具の保持に必要であり効果的な構成を形成することが自在に行える工具ホルダーのベルト装着体を形成する。
また、図２９の（ｂ）図のベルト装着体のみにあっては、ベルト後方載り部４の端はベルト載り部側開放端であり、ベルト前方内側支持部９の端は支持部側開放端とあり、ベルト載り部側開放端、支持部側開放端を延長し曲げて工具保持部や工具抑え部など、工具の保持に必要であり効果的な構成を形成することが自在に行える工具ホルダーのベルト装着体を形成する。
ベルト入り部閉じ手段８１あるいはベルト入り部閉じ手段５７が添付ないし適宜な箇所に、直接ないしコード、鎖などを介して取り付けてある（図示せず省略）。
【００４４】
ベルト前方外側支持部１１およびベルト前方内側支持部９あるいはベルト後方内側支持部５およびベルト後方外側支持部１３が腰ベルト上縁よりも上方に延長された延長部９２を形成された形態においては、延長部９２が形成されている側では横棒部８６がその外側あるいは内側に曲がってベルト前方載り部１０ないしベルト後方載り部４を形成する形態には多様な形態がある。
図２９の（ａ）図、（ｂ）図はそのことを示す参考実施例である。
【実施例１８】
【００４５】
図３０に示す本発明の実施例１８おいて９４は工具ホルダーであって、この工具ホルダー９４は、
一本の金属製線材Ａ（「金属製棒材」を含む）が曲げられ形成された腰ベルト３に装着する工具ホルダーであって、
工具３３を保持する工具保持部２と、
この工具保持部２が下方に曲がって形成された、少し外側に傾き形態（開き形態）にして工具保持部２を使用者の身体から離す形態にする保持部上げ延長部２７と、
この保持部上げ延長部２７を下方に略垂直に延長して形成された、腰ベルト３の前方内側に位置するベルト後方外側支持部１３と、
このベルト後方外側支持部１３を下方に延長して形成された後方延長部６と、
この後方延長部６が前方に曲がって形成された内側部位連絡部１８と、
この内側部位連絡部１８が上方に曲がって形成された前方延長部８と、
この前方延長部８を上方に延長して形成された、腰ベルト３の前方内側に位置するベルト前方内側支持部９と、
このベルト前方内側支持部９が外側に曲がって形成された、腰ベルト３の上部縁に載るベルト前方載り部１０と、
このベルト前方載り部１０が下方に曲がって形成された、腰ベルト３の前方外側に位置するベルト前方外側支持部１１と、
このベルト前方外側支持部１１とベルト前方内側支持部９間の隙間である、腰ベルト３が位置するベルト前方入り部１２と、
ベルト前方外側支持部１１が後方に曲がって形成された外側部位連絡部１９と、
この外側部位連絡部１９が内側に曲がって形成されたベルト抜け止め部９６と、
ベルト抜け止め部９６が上方に曲がって形成されたベルト後方内側支持部５と、
このベルト後方内側支持部５とベルト後方外側支持部１３の間の隙間であるベルト後方入り部１４と、
このベルト後方内側支持部５が後方に曲がって形成された、ベルト後方外側支持部１３の内側面側に位置する支持部位規制部２０と、
この支持部位規制部２０が外側に曲がって形成された、ベルト後方外側支持部１３の後面側に位置するベルト後方載り部４と、
このベルト後方載り部４を外側に延長して形成した延長部３４と、
この延長部３４の一部である工具３３の握り部３１の後方面が当る握り部位当り部２１と、
前記延長部３４を延長して工具３３のドライバー本体３０の外側面に当り抑える工具抑え部３６とからなっている。
ベルト入り部閉じ手段８１あるいはベルト入り部閉じ手段５７が添付ないし適宜な箇所に、直接ないしコード、鎖などを介して取り付けてある（図示せず省略）。
【００４６】
ベルト後方外側支持部１３をベルト後方内側支持部５とし、ベルト抜け止め部９６を形成せず外側部位連絡部１９を該ベルト後方内側支持部５の内側延ばし該ベルト後方内側支持部５の後方面から外側に曲がってベルト後方載り部４を形成し、このベルト後方載り部４が下方に曲がってベルト後方外側支持部１３を形成する形態もよい。
この形態にあっての工具抑え部３６は、ベルト後方外側支持部１３を工具保持部２に保持した工具３３のドリル本体３０の下方から該ドリル本体３０の外側側面に当るように回り込んだ形態で形成される。参考形態として後述する図４１、図４２のような形態である。
【実施例１９】
【００４７】
図３１に示す本発明の実施例１９おいて前記実施例９と主に異なる点は、ベルト後方外側支持部１３、ベルト前方外側支持部１１のベルト後方載り部４、ベルト前方載り部１０より下方に７０ｍｍのところを内側に曲げて突形態としたベルト抜け止め部９９、９９を形成してなる工具ホルダー１００を形成した点にある。
ベルト入り部閉じ手段８１あるいはベルト入り部閉じ手段５７が添付ないし適宜な箇所に、直接ないしコード、鎖などを介して取り付けてある（図示せず省略）。
【実施例２０】
【００４８】
図３２に示す本発明の実施例２０おいて１０２は工具ホルダーであって、この工具ホルダー１０２は、
一本の金属製線材ないし金属製棒材が曲げられ形成された腰ベルト３を装着する工具ホルダーであって、
工具３３を保持する工具保持部２と、
この工具保持部２が下方に曲げられて形成された、後方に傾き形態の保持部上げ延長部２７と、
この保持部上げ延長部２７が下方に曲げられ形成された、腰ベルト３の前方内側に位置するベルト前方内側支持部９と、
このベルト前方内側支持部９を下方に延長して形成された前方延長部８と、
この前方延長部８が後方に曲がって形成された内側部位連絡部１８と、
この内側部位連絡部１８が上方に曲がって形成された後方延長部６と、
この後方延長部６を上方に延長して形成された、腰ベルト３の後方内側に位置するベルト後方内側支持部５と、
このベルト後方内側支持部５が外側に曲がって形成された、腰ベルト３の上部縁に載るベルト後方載り部４と、
このベルト後方載り部４が下方に曲がって形成された、腰ベルト３の後方外側に位置するベルト後方外側支持部１３と、
このベルト後方外側支持部１３とベルト後方内側支持部５間の隙間である、腰ベルト３が位置するベルト後方入り部１４と、
ベルト後方外側支持部１３が前方に曲がって形成された外側部位連絡部１９と、
この外側部位連絡部１９が上方に曲がって形成された、腰ベルト３の前方外側に位置するベルト前方外側支持部１１と、
このベルト前方外側支持部１１が内側に曲がって形成された、腰ベルト３の上部縁に載るベルト前方載り部１０と、
ベルト前方外側支持部１１とベルト前方内側支持部９間の隙間である、腰ベルト３が位置するベルト前方入り部１２と、
ベルト前方載り部１０が前方に曲がってベルト前方内側支持部９の内側面が当る形態に形成された、ベルト前方入り部１２が広がらないように規制する支持部位規制部２０とからなっている。
ベルト前方外側支持部１１のベルト前方載り部１０より下方に７０ｍｍ以上のところを外側に曲げて突形態とした止め部３９を形成し、止め部３９の上部を閉じ手段取付部３８となっている。
ベルト入り部閉じ手段８１あるいはベルト入り部閉じ手段５７が添付ないし適宜な箇所に、直接ないしコード、鎖などを介して取り付けてある（図示せず省略）。
工具保持部２、保持部上げ延長部２７、支持部位規制部２０以外の部位でベルト装着体を形成している。このベルト装着体のみにあっては、ベルト前方載り部１０の端はベルト載り部側開放端であり、ベルト前方内側支持部９の端は支持部側開放端とあり、ベルト載り部側開放端、支持部側開放端を延長し曲げて工具保持部や工具抑え部など、工具の保持に必要であり効果的な構成を形成することが自在に行える工具ホルダーのベルト装着体を形成している。
【実施例２１】
【００４９】
図３３に示す本発明の実施例２１おいて１０４は工具ホルダーであって、この工具ホルダー１０４は、
一本の金属製線材ないし金属製棒材が曲げられ形成された腰ベルト３に装着する工具ホルダーあって、
工具を保持するＵ字形態の工具保持部２と、
この工具保持部２が下方に曲げられて形成された保持部上げ延長部２７と、
この保持部上げ延長部２７が下方に延長されて形成された、腰ベルト３の後方外側に位置するベルト後方外側支持部１３と、
このベルト後方外側支持部１３が前方に曲がって形成された外側部位連絡部１９と、
この外側部位連絡部１９が上方に曲がって形成された、腰ベルト３の前方外側に位置するベルト前方外側支持部１１と、
このベルト前方外側支持部１１が内側に曲がって形成された、腰ベルト３の上部縁に載るベルト前方載り部１０と、
このベルト前方載り部１０が下方に曲がって形成された、腰ベルト３の前方内側に位置するベルト前方内側支持部９と、
このベルト前方内側支持部９とベルト前方外側支持部１１間の隙間である、腰ベルト３が位置するベルト前方入り部１２と、
ベルト前方内側支持部９を下方に延長して形成された前方延長部８と、
この前方延長部８が後方に曲がって形成された内側部位連絡部１８と、
この内側部位連絡部１８が上方に曲がって形成された後方延長部６と、
この後方延長部６を上方に延長して形成された、腰ベルト３の内側に位置するベルト後方内側支持部５と、
このベルト後方内側支持部５が前方に曲がって形成された、腰ベルト３の上部縁に載るベルト後方載り部４と、
ベルト後方外側支持部１３とベルト後方内側支持部５間の隙間である、腰ベルト３が位置するベルト後方入り部１４と、
ベルト後方載り部４が後方あるいは前方に曲がって（図では後方）ベルト後方内側支持部５の外側面が当る形態に形成された、ベルト後方入り部１４が広がらないように規制する支持部位規制部２０とからなっている。
ベルト前方外側支持部１１、ベルト後方外側支持部１３の長さは７０ｍｍ以上、好ましくは８０ｍｍ以上とするのがよい。
ベルト入り部閉じ手段８１あるいはベルト入り部閉じ手段５７が添付ないし適宜な箇所に、直接ないしコード、鎖などを介して取り付けてある（図示せず省略）。
工具保持部２、保持部上げ延長部２７、支持部位規制部２０以外の部位でベルト装着体を形成している。このベルト装着体のみにあっては、ベルト後方載り部４の端はベルト載り部側開放端であり、ベルト後方外側支持部１３の端は支持部側開放端とあり、ベルト載り部側開放端、支持部側開放端を延長し曲げて工具保持部や工具抑え部など、工具の保持に必要であり効果的な構成を形成することが自在に行える工具ホルダーのベルト装着体を形成している。
【実施例２２】
【００５０】
図３４に示す本発明の実施例２２おいて１０６は工具ホルダーであって、この工具ホルダー１０６は、
一本の金属製線材ないし金属製棒材が曲げられ形成された腰ベルト３に装着する工具ホルダーあって、
工具を保持するＵ字形態の工具保持部２と、
この工具保持部２が下方前方に曲げられて形成された、後方に傾き形態の保持部上げ延長部２７と、
この保持部上げ延長部２７が下方に延長されて形成された、腰ベルト３の前方外側に位置するベルト前方外側支持部１１と、
このベルト前方外側支持部１１が後方に曲がって形成された外側部位連絡部１９と、
この外側部位連絡部１９が上方に曲がって形成された、腰ベルト３の外側に位置するベルト後方外側支持部１３と、
このベルト後方外側支持部１３が内側に曲がって形成された、腰ベルト３の上部縁に載るベルト後方載り部４と、
このベルト後方載り部４が下方に曲がって形成された、腰ベルト３の内側に位置するベルト後方内側支持部５と、
このベルト後方内側支持部５とベルト後方外側支持部１３間の隙間である、腰ベルト３が位置するベルト後方入り部１４と、
ベルト後方内側支持部５を下方に延長して形成された後方延長部６と、
この後方延長部６が前方に曲がって形成された内側部位連絡部１８と、
この内側部位連絡部１８が上方に曲がって形成された前方延長部８と、
この前方延長部８を上方に延長して形成された、腰ベルト３の前方内側に位置するベルト前方内側支持部９と、
このベルト前方内側支持部９とベルト前方外側支持部１１間の隙間である、腰ベルト３が位置するベルト前方入り部１２と、
ベルト前方内側支持部９が外側に曲がって形成された、腰ベルト３の上部縁に載るベルト前方載り部１０と、
このベルト前方載り部１０が後方に曲がってベルト前方外側支持部１１の外側面が当る形態に形成された、ベルト前方入り部１２が広がらないように規制する支持部位規制部２０とからなっている。
ベルト入り部閉じ手段８１あるいはベルト入り部閉じ手段５７が添付ないし適宜な箇所に、直接ないしコード、鎖などを介して取り付けてある（図示せず省略）。
工具保持部２、保持部上げ延長部２７、支持部位規制部２０以外の部位でベルト装着体を形成している。このベルト装着体のみにあっては、ベルト前方載り部１０の端はベルト載り部側開放端であり、ベルト前方外側支持部１１の端は支持部側開放端とあり、ベルト載り部側開放端、支持部側開放端を延長し曲げて工具保持部や工具抑え部など、工具の保持に必要であり効果的な構成を形成することが自在に行える工具ホルダーのベルト装着体を形成している。
【実施例２３】
【００５１】
図３５に示す本発明の実施例２３おいて前記実施例７と主に異なる点は、ベルト後方外側支持部１３を上方に延長して延長部１０８を形成し、この延長部１０８を内側に曲げ且つ外側に曲げて延長部１０８に回り込むようにしてなる支持部位規制部２０、支持部位規制部５６を形成し、ベルト後方内側支持部５の上部を外側に突出させて腰ベルト３の上部縁に載るベルト後方載り部４を形成してなる工具ホルダー１０９を形成した点にある。
工具保持部２、保持部上げ延長部２７、延長部１０８、支持部位規制部２０、支持部位規制部５６以外の部位でベルト装着体を形成している。
ベルト入り部閉じ手段８１あるいはベルト入り部閉じ手段５７が添付ないし適宜な箇所に、直接ないしコード、鎖などを介して取り付けてある（図示せず省略）。
【００５２】
ベルト後方外側支持部１３の上部を内側に突出させて腰ベルト３の上部縁に載るベルト後方載り部４を形成するのもよい。
実施例２１のような曲がり形態にあっては、内側部位連絡部１８からの立ち上がり部位であるベルト後方内側支持部５の上部を外側に突出させて腰ベルト３の上部縁に載るベルト後方載り部４を形成する形態もある。
延長部１０８が前方にいつする場合は、ベルト前方外側支持部１１を上部を内側に突出させて、あるいはベルト前方内側支持部９の上部を外側に突出させてベルト前方載り部１０を形成する形態もある。
【実施例２４】
【００５３】
図３６に示す本発明の実施例２４おいて前記実施例１と主に異なる点は、工具保持部２が下方に曲がって保持上げ延長部２７を形成し、この保持上げ延長部２７が上方に曲がって形成されたベルト後方外側支持部１４を形成し、このベルト後方外側支持部１４が内側に曲がってベルト後方載り部４を形成し、このベルト後方載り部４が下方に曲がってベルト後方内側支持部５を形成し、ベルト前方外側支持部１１が内側に曲がってベルト前方入り部１２の下方を閉じるベルト抜け止め部１３１を形成してなる工具ホルダー１３２を形成した点にある。
【実施例２５】
【００５４】
図３７、図３８に示す本発明の実施例２５において１１５は工具ホルダーであって、この工具ホルダー１１５は、腰ベルトに装着するベルト装着体１１６と、このベルト装着体１１６に着脱自在に取り付けることができる工具保持体１１７とからなっている。
ベルト装着体１１６は、実施例７の保持部上げ延長部２７および工具保持部２の無い形態とした、腰装着体本体１１８と、この腰装着体１１８の外側面に固定されたプレート１１９と、このプレート１１９に固定された長孔である挿入孔１２０を有する筒形態の保持体取り付け部１２１と、プレート１１９に保持体取り付け部１２１よりも高い位置に固定された長孔である挿入孔１２０を有する筒形態の保持体取り付け部１２２とからなっている。
工具保持体１１７は１本の金属製線材ないし金属製棒材からなっていて、工具３３を取り付けるＵ字形態の工具保持部２と、この工具保持部２が下方に曲がって形成された保持部上げ延長部２７と、この保持部上げ延長部２７を下方に延ばしかつ上方に曲がって形成した、保持体取り付け部１２１、１２２の挿入孔１２０に挿入する取付部１２３と、この取付部１２３を下方に曲げかつ工具３３のドリル本体３０の外側側面に下から回り込むようにして、ドリル本体３０の外側側面に当接し抑えるための工具抑え部１２４とからなっている。
携行する工具の種類に合わせた保持体取り付け部を交換して使用することができる。
また、保持体取り付け部１２１、１２２の前後位置および高さがことなるので、保持する工具のバランスに合わせた箇所を選択できる。
ベルト入り部閉じ手段８１あるいはベルト入り部閉じ手段５７が添付ないし適宜な箇所に、直接ないしコード、鎖などを介して取り付けてある（図示せず省略）。
【実施例２６】
【００５５】
図３９に示す本発明の実施例２６において前記実施例２５と主に異なる点は、保持体取り付け部１２１、１２２を設けず、代わりにプレート１１９の上部が外側に曲がって形成された上突出部１２５を設け、上突出部１２５に取付部１２３が差し込まれる上孔１２６を３箇所設け、プレート１１９の下部が外側に曲がって形成された下突出部１２７を設け、下突出部１２７に上孔１２６に差し込まれた取付部１２３の下方が差し込まれる下孔１２８が３箇所設けてなる工具ホルダー１２９を形成した点にある。
上孔１２６と下孔１２８とで保持体取り付け部を形成している。
ベルト入り部閉じ手段８１あるいはベルト入り部閉じ手段５７が添付ないし適宜な箇所に、直接ないしコード、鎖などを介して取り付けてある（図示せず省略）。
【実施例２７】
【００５６】
図４０に示す本発明の実施例２７において前記実施例２６と主に異なる点は、ベルト装着体を一枚のプレートを曲げて形成したベルト装着体１３４としてなる工具ホルダー１３５を形成した点にある。
ベルトベルト装着体１３４は、腰ベルトの外側に位置するベルト外側支持部１３６と、このベルト外側支持部１３６の上部が内側に曲がって形成された腰ベルトの上部縁にのるベルト載り部１３７と、このベルト載り部１３７が下方に曲がって形成された腰ベルトの内側に位置するベルト内側支持部１３８と、このベルト内側支持部１３８とベルト外側支持部１３６間の隙間である腰ベルトが位置するベルト入り部１３９と、ベルト内側支持部１３８を下方に延長して形成した内側延長部１４０と、この内側延長部１４０の下部を外側に緩やかにカーブさせた下縁が装着者の腿に局部的に当り押し圧するのを分散させる押し圧分散部１４１とからなっている。
ベルト外側支持部１３６の下部は外側に曲がって下突出部１２７を形成している。
ベルト外側支持部１３６とベルト内側支持部１３８の前方下部には、ベルト入り部閉じ手段５７に代表される開閉式の環部材を通す閉じ手段取り付け孔１４２ａ、１４２ｂがあけられ、下突出部１２７にはベルト入り部閉じ手段５７等を取り付け保持しておく保持孔１４５があけられている。
【実施例２８】
【００５７】
図４１に示す本発明の実施例２８において１４３は工具ホルダーであって、この工具ホルダー１４３は、全体骨組みが一本の金属製線材Ａ（「金属製棒材」を含む）が曲げられ形成され、かつ、付属品が取り付けられてなるベルト装着体１４２と、工具保持部２とからなっている。
ベルト装着体１４２は、
後方から前方に向かう形態に形成された係止手段取付部４６と、
この係止手段取付部４６が下方に曲がって形成された立ち上がり部８７と、
この立ち上がり部８７が後方に曲がって形成された横棒部８６と、
この横棒部８６が上方に曲がって形成されたベルト前方外側支持部１１と、
このベルト前方外側支持部１１が内側に曲がって形成された、腰ベルト３の上部縁に載るベルト前方載り部１０と、
このベルト前方載り部１０が下方に曲がって形成された、腰ベルト３の前方内側に位置するベルト前方内側支持部９と、
このベルト前方内側支持部９が下方に延長形成された前方延長部８と、
この前方延長部８が後方に曲がって形成された連絡部７と、
この連絡部７が上方に曲がって形成された後方延長部６と、
の後方延長部６が上方に延長形成された、腰ベルト３の後方内側に位置するベルト後方内側支持部５と、
このベルト後方内側支持部５が外側に曲がって形成された、腰ベルト３の上部縁に載るベルト後方載り部４と、
このベルト後方載り部４が下方に曲がって形成された、腰ベルト３の後方外側に位置するベルト後方外側支持部１３と、
このベルト後方外側支持部１３が下方に延長され、工具保持部２の保持された工具３３のドライバー本体３０の下方から外側に回り込み、該ドライバー本体３０の外側側面に当って該ドライバー本体３０の外側への振れを抑えるように形成された工具抑え部３６と、
この工具抑え部３６に取り付けられた受け面ファスナー４２と、
係止手段取付部４６に取り付けられた受け面ファスナー４３と、
横棒部８６に下方を取り付けられた、受け面ファスナー４２および受け面ファスナー４３に係着し、受け面ファスナー４２との係着時では、ドライバー本体３０の上向き面を抑え工具３３を工具ホルダー１４３に固定し、受け面ファスナー４３との係着時では工具３３の出し入れの邪魔にならない起きた状態が固定される抑え面ファスナー帯４１と、ベルト後方外側支持部１３の外側面に溶接によって固定された筒部材からなる工具保持部２を差込支持する差込支持部１４４とからなっている。
ベルト入り部閉じ手段８１あるいはベルト入り部閉じ手段５７が添付ないし適宜な箇所に、直接ないしコード、鎖などを介して取り付けてある（図示せず省略）。
【実施例２９】
【００５８】
図４２に示す本発明の実施例２９において１４６は工具ホルダーであって、この工具ホルダー１４６は、全体骨組みが一本の金属製線材Ａ（「金属製棒材」を含む）が曲げられ形成され、かつ、付属品が取り付けられてなるベルト装着体１４７と、工具保持部２とからなっている。
ベルト装着体１４７は、
後方から前方に向かう形態に形成された係止手段取付部４６と、
この係止手段取付部４６が下方に曲がって形成された立ち上がり部８７と、
この立ち上がり部８７が後方に曲がって形成された横棒部８６と、
この横棒部８６が上方に曲がって形成されたベルト前方外側支持部１１と、
このベルト前方外側支持部１１が内側に曲がって形成された、腰ベルト３の上部縁に載るベルト前方載り部１０と、
このベルト前方載り部１０が下方に曲がって形成された、腰ベルト３の前方内側に位置するベルト前方内側支持部９と、
このベルト前方内側支持部９が下方に延長形成された前方延長部８と、
この前方延長部８が後方に曲がって形成された連絡部７と、
この連絡部７が上方に曲がって形成された後方延長部６と、
の後方延長部６が上方に延長形成された、腰ベルト３の後方内側に位置するベルト後方内側支持部５と、
このベルト後方内側支持部５が外側に曲がって形成された、腰ベルト３の上部縁に載るベルト後方載り部４と、
このベルト後方載り部４が下方に曲がって形成された、腰ベルト３の後方外側に位置するベルト後方外側支持部１３と、
このベルト後方外側支持部１３が下方に延長され、工具保持部２の保持された工具３３のドライバー本体３０の下方から外側に回り込み、該ドライバー本体３０の外側側面に当って該ドライバー本体３０の外側への振れを抑えるように形成された工具抑え部３６と、
この工具抑え部３６に取り付けられた受け面ファスナー４２と、
係止手段取付部４６に取り付けられた受け面ファスナー４３と、
横棒部８６に下方を取り付けられた、受け面ファスナー４２および受け面ファスナー４３に係着し、受け面ファスナー４２との係着時では、ドライバー本体３０の上向き面を抑え工具３３を工具ホルダー１４３に固定し、受け面ファスナー４３との係着時では工具３３の出し入れの邪魔にならない起きた状態が固定される抑え面ファスナー帯４１と、ベルト後方外側支持部１３の外側面に溶接によって固定された筒部材からなる工具保持部２を差込支持する差込支持部１４４とからなっている。
ベルト入り部閉じ手段８１あるいはベルト入り部閉じ手段５７が添付ないし適宜な箇所に、直接ないしコード、鎖などを介して取り付けてある（図示せず省略）。
【実施例３０】
【００５９】
図４３に示す本発明の実施例３０において１４９は工具ホルダーであって、この工具ホルダー１４９は、
工具３３を保持する工具保持部２と、
この工具保持部２が下方に曲がって形成された、少し外側に傾き形態にして工具保持部２を使用者の身体から離す形態にする保持部上げ延長部２７と、
この保持部上げ延長部２７を下方に略垂直に延長して形成された、腰ベルト３の後方内側に位置するベルト後方内側支持部５と、
このベルト後方内側支持部５を下方に延長して形成された後方延長部６と、
この後方延長部６が前方に曲がって形成された内側部位連絡部１８と、
この内側部位連絡部１８が上方に曲がって形成された前方延長部８と、
この前方延長部８を上方に延長して形成された、腰ベルト３の前方内側に位置するベルト前方内側支持部９と、
このベルト前方内側支持部９が外側に曲がって形成された、腰ベルト３の上部縁に載るベルト前方載り部１０と、
このベルト前方載り部１０が下方に曲がって形成された、腰ベルト３の前方外側に位置するベルト前方外側支持部１１と、
このベルト前方外側支持部１１とベルト前方内側支持部９間の隙間である、腰ベルト３が位置するベルト前方入り部１２と、
ベルト前方外側支持部１１が後方に曲がって上方に輪を形成するように曲がって形成された輪部１５０と、
上部を内側に曲げ腰ベルトの上部縁にのるベルト後方載り部４を形成し、このベルト後方載り部４の先端をベルト後方内側支持部５の外側面に溶接して固定し、ベルト後方載り部４が下方に曲がったベルト後方外側支持部１３を形成してなる金属製線材ないし金属製棒材Ｂと、
ベルト後方外側支持部１３とベルト後方内側支持部５間の隙間である、腰ベルト３が位置するベルト後方入り部１４と、
ベルト前方外側支持部１１のベルト前方載り部１０に入った腰ベルト３の下面から下方となる位置に形成された、ベルト前方入り部ないしベルト後方入り部の下方を閉じ状態にするベルト入り部閉じ手段３７（環部材、粘着テープ、結束バンド、電線ケーブル、針金、コード、マジックテープ（登録商標）に代表される面ファスナーなど）を、腰ベルト３にかからずに取り付けることを可能とした、腰ベルト３の下面からの距離としている部材取付部３８と、
この閉じ手段取付部３８が前方外側あるいは後方（図では外側）に曲がって突出形態とされた、閉じ手段取付部３８が落ちるのを止める止め部３９とからなっている。
工具保持部２、保持部上げ延長部２７、輪部１５０以外の部位でベルト装着体を形成している。
ベルト入り部閉じ手段８１あるいはベルト入り部閉じ手段５７が添付ないし適宜な箇所に、直接ないしコード、鎖などを介して取り付けてある（図示せず省略）。
【００６０】
金属製線材ないし金属製棒材Ｂは逆Ｕ字形態にして、内側部位をベルト後方内側支持部５の前方面あるいは後方面に複数箇所の溶接により取り付けるのがよい。
また、ベルト後方外側支持部１３を延長して、工具３３のドリル本体３０の外側側面側に回し込み、工具３３の横振れをドリル本体３０の外側側面に当って抑える工具抑え部３６等を形成するのもよい。
また、ベルト前方外側支持部１１を上方に曲げ立ち上げて、受け面ファスナ４３を取り付けるようにするのもよい。
【実施例３１】
【００６１】
図４４に示す本発明の実施例３１において１５２は工具３３を保持する工具ホルダーであって、この工具ホルダー１５２は、
工具３３のドライバー本体３０の後方上方面上に内側から外側に向かう形態で形成された、ドライバー本体３０の後方上方面に当ってドライバー本体３０が上方に動くのを規制する後方上方規制部１５３と、
この後方上方規制部１５３が下方に曲がって形成された、ドライバー本体３０の後方外側面に当ってドライバー本体３０が外側に動くのを規制する後方外側規制部１５４と、
この後方外側規制部１５４が内側に曲がって形成された、ドライバー本体３０の後方下方面を受け載せる後方下方規制部１５５と、
この後方下方規制部１５５を内側に延長して形成した、上方にドライバー本体３０の後方側を通し出し入れするためのドライバー通し後方空間１５６を形成する空間形成後方延長部１５７と、
この空間形成後方延長部１５７が上方に曲がって形成された、腰ベルトの後方外側に位置するベルト後方外側支持部１３と、
このベルト後方外側支持部１３が内側に曲がって形成された、腰ベルトの上部縁に載るベルト後方載り部４と、
このベルト後方載り部４が下方に曲がって形成された、腰ベルトの後方内側に位置するベルト後方内側支持部５と、
このベルト後方内側支持部５を下方に延長して形成された後方延長部６と、
この後方延長部６が前方に曲がって形成された連絡部７と、
この連絡部７が上方に曲がって形成された前方延長部８と、
この前方延長部８を上方に延長して形成された、腰ベルトの前方内側に位置するベルト前方内側支持部９と、
このベルト前方内側支持部９が外側に曲がって形成された、腰ベルトの上部縁に載るベルト前方載り部１０と、
このベルト前方載り部１０が下方に曲がって形成された、腰ベルトの前方外側に位置するベルト後方外側支持部１１と、
このベルト外側支持部１１が外側に曲がって形成された、上方にドライバー本体３０の前方側を通し出し入れするためのドライバー通し前方空間１５８を形成する空間形成前方延長部１５９と、
この空間形成前方延長部１５９を外側に延長して形成した、ドライバー本体３０の前方下方面を受け載せる前方下方規制部１６０と、
この前方下方規制部１６０が上方に曲がって形成された、ライバー本体３０の前方外側面に当ってドライバー本体３０が外側に動くのを規制する前方外側規制部１６１と、
この前方外側規制部１６１が内側に曲がって形成されて、ドライバー本体３０の前方上方面に当ってドライバー本体３０が上方に動くのを規制する前方上方規制部１６２と、
空間形成後方延長部１５７と空間形成前方延長部１５９ないし後方下方規制部１５５と前方下方規制部１６０の間に設けられた、工具３３の握り部３１の内側側面に当り、工具の内側への動きを規制する握り部内側規制部１６３と、
ベルト後方内側支持部５とベルト後方外側支持部１３間の隙間である、腰ベルトが入る部位であるベルト後方入り部１４と、
ベルト前方内側支持部９とベルト前方外側支持部１１間の隙間である、腰ベルトが入る部位であるベルト前方入り部１２と、
後方上方規制部１５３、後方外側規制部１５４、後方下方規制部１５５、前方上方規制部１６２、前方外側規制部１６１、前方下方規制部１６０、握り部内側規制部１６３とで形成された、ドライバー本体３０が収まり保持される工具保持部１６４と、
添付された、ベルト後方入り部１４、ベルト前方入り部１２の下方閉じ状態にするための、ベルト入り部閉じ手段５７、５７とからなっている。
握り部内側規制部１６３、ベルト入り部閉じ手段５７、５７以外の構成部分は、一本の金属製線材Ａ（「金属製棒材」を含む）を曲げて形成されている。
【００６２】
空間形成後方延長部１５７および空間形成前方延長部１５９ないしそのいずれかにベルト入り部閉じ手段５７、５７を下げ保持した状態で、腰に装着した腰ベルト（図示せず）の内側に上方から連絡部７を差し込み降ろして工具ホルダーを腰ベルトに装着する。
右手に持った工具３３のドライバー本体３０をドライバー通し後方空間１５６、ドライバー通し前方空間１５８に上方から入れる。このとき同時にないし既に後方上方規制部１５３、前方上方規制部１６２の間に握り部３１が入った状態となる。
工具３３を離すと、工具３３はバッテリー部３２および握り部３１の重みで、握り部３１の握り部内側規制部１６３にその内側面を当接させながら前方から見て反時計回りに回って、ドライバー本体３０が工具保持部１６４内に自動的に収まる。
工具保持部１６４に収まったドライバー本体３０は、後方上方規制部１５３、後方外側規制部１５４、後方下方規制部１５５、前方上方規制部１６２、前方外側規制部１６１、前方下方規制部１６０、握り部内側規制部１６３のよって、上方、下方、前方、後方、外側、内側の六方への動き規制され、バッテリー部３２が外側に振れる以外は完全に動きが規制され、バッテリー部３２が水平以上にまで振れない限りは外れることが生じない保持を実現する。
取り出しは、握り部３１を右手で握り上に回すように起こし、工具３３全体を内側に押し動かし持ち上げることにより、ドライバー通し後方空間１５６、ドライバー通し前方空間１５８からドライバー本体３０を出して簡単に取り出すことができる。
【００６３】
実施例７、実施例８、実施例９、実施例１０、実施例１１、実施例１２、実施例１３、実施例１４、実施例１５、実施例１６、実施例１７、実施例１８、実施例１９、実施例２０、実施例２１、実施例２２、実施例２３、実施例２４、実施例２５、実施例２６、実施例２７、実施例３０の工具ホルダーの技術的思想は、工具ホルダーを腰に装着した腰ベルトに装着した状態において、工具を保持する工具保持部の位置を該工具保持部に保持した工具を腕の肘内側あるいはから上腕内側で抑えることができる高さ位置にする前記工具保持部の高さ位置にしたところにある。
その発明は、腰ベルトに装着されるベルト装着体と、このベルト装着体に直接的設けられた、延長部を介して設けられたあるいは他の部材を介して設けられた、工具を腕の肘内側あるいはから上腕内側で抑えることができる高さ位置とする位置ないし形態の工具保持部とからなることを特徴とする工具ホルダーのベルト装着体の構造。
【産業上の利用可能性】
【００６４】
本発明は工具ホルダーを製造ないし使用する産業で利用される。
【符号の説明】
【００６５】
Ａ：金属製線材（「金属製棒材」を含む）、
Ｂ：金属製線材（「金属製棒材」を含む）、
１：工具ホルダー、
２：工具保持部、
３：腰ベルト、
４：ベルト後方載り部、
５：ベルト後方内側支持部、
６：後方延長部、
７：連絡部、
８：前方延長部、
９：ベルト前方内側支持部、
１０：ベルト前方載り部、
１１：ベルト前方外側支持部、
１２：ベルト前方入り部、
１３：ベルト後方外側支持部、
１４：ベルト後方入り部、
１６：工具、
１７：工具ホルダー、
１８：内側部位連絡部、
１９：外側部位連絡部、
２０：支持部位規制部、
２１：握り部位当り部、
２２：工具抑え部、
２３：工具ホルダー、
２４：延長部、
２６：工具ホルダー、
２７：保持部上げ延長部、
２８：プレート、
２９：粘着テープ、
３０：ドライバー本体、
３１：握り部、
３２：バッテリー部、
３３：工具、
３４：延長部、
３５：吊手段、
３６：工具抑え部、
３７：ベルト入り部閉じ手段、
３８：閉じ手段取付部、
３９：止め部、
４０：ベルト入り部閉じ手段、
４１：抑え面ファスナー帯、
４２：受け面ファスナー、
４３：受け面ファスナー、
４４：係止手段取付部、
４５：延長部、
４６：係止手段取付部、
４７：延長部、
４８：工具抑え部、
４９：工具ホルダー、
５１：延長部、
５３：工具ホルダー、
５５：工具ホルダー、
５６：支持部位規制部、
５７：ベルト入り部閉じ手段、
５９：押し圧分散プレート、
６１：ベルト抜け止め部、
６２：ベルト抜け止め部、
６３：工具ホルダー、
６５：工具ホルダー、
６７：工具ホルダー、
６８：押し圧分散プレート、
７０：延長部、
７１：工具抑え部、
７２：工具ホルダー、
７３：延長部、
７４：工具抑え部、
７５：工具ホルダー、
７７：工具ホルダー、
７９：延長部、
８０：工具ホルダー、
８１：ベルト入り部閉じ手段、
８２：保持部上げ延長部、
８３：工具保持部、
８４：工具ホルダー、
８６：横棒部、
８７：立ち上がり部、
８８：係止手段取付部、
８９：工具ホルダー、
９１：工具ホルダー、
９２：立ち上がり部、
９４：工具ホルダー、
９６：ベルト抜け止め部、
９９：ベルト抜け止め部、
１００：工具ホルダー、
１０２：工具ホルダー、
１０４：工具ホルダー、
１０６：工具ホルダー、
１０８：延長部、
１０９：工具ホルダー、
１１５：工具ホルダー、
１１６：ベルト装着体、
１１７：工具保持体、
１１８：腰装着体本体、
１１９：プレート、
１２０：挿入孔、
１２１：保持体取り付け部、
１２２：保持体取り付け部、
１２３：取付部、
１２５：上突出部、
１２６：上孔、
１２７：下突出部、
１２８：下孔、
１２９：工具ホルダー、
１３１：ベルト抜け止め部、
１３２：工具ホルダー、
１３４：ベルト装着体、
１３５：工具ホルダー、
１３６：ベルト外側支持部、
１３７：ベルト載り部、
１３８：ベルト内側支持部、
１３９：ベルト入り部、
１４０：内側延長部、
１４１：押し圧分散部、
１４２ａ、１４２ｂ：閉じ手段取り付け孔、
１４３：工具ホルダー、
１４４：差込支持部、
１４５：保持孔、
１４６：工具ホルダー、
１４７：ベルト装着体、
１４９：工具ホルダー、
１５０：輪部、
１５２：工具ホルダー、
１５３：後方上方規制部、
１５４：後方外側規制部、
１５５：後方下方規制部、
１５６：ドライバー通し後方空間、
１５７：空間形成後方延長部、
１５８：ドライバー通し前方空間、
１５９：空間形成前方延長部、
１６０：前方下方規制部、
１６１：前方外側規制部、
１６２：前方上方規制部、
１６３：握り部内側規制部、
１６４：工具保持部。
【図１】
0005902838.tif 000002
【図２】
0005902838.tif 000003
【図３】
0005902838.tif 000004
【図４】
0005902838.tif 000005
【図５】
0005902838.tif 000006
【図６】
0005902838.tif 000007
【図７】
0005902838.tif 000008
【図８】
0005902838.tif 000009
【図９】
0005902838.tif 000010
【図１０】
0005902838.tif 000011
【図１１】
0005902838.tif 000012
【図１２】
0005902838.tif 000013
【図１３】
0005902838.tif 000014
【図１４】
0005902838.tif 000015
【図１５】
0005902838.tif 000016
【図１６】
0005902838.tif 000017
【図１７】
0005902838.tif 000018
【図１８】
0005902838.tif 000019
【図１９】
0005902838.tif 000020
【図２０】
0005902838.tif 000021
【図２１】
0005902838.tif 000022
【図２２】
0005902838.tif 000023
【図２３】
0005902838.tif 000024
【図２４】
0005902838.tif 000025
【図２５】
0005902838.tif 000026
【図２６】
0005902838.tif 000027
【図２７】
0005902838.tif 000028
【図２８】
0005902838.tif 000029
【図２９】
0005902838.tif 000030
【図３０】
0005902838.tif 000031
【図３１】
0005902838.tif 000032
【図３２】
0005902838.tif 000033
【図３３】
0005902838.tif 000034
【図３４】
0005902838.tif 000035
【図３５】
0005902838.tif 000036
【図３６】
0005902838.tif 000037
【図３７】
0005902838.tif 000038
【図３８】
0005902838.tif 000039
【図３９】
0005902838.tif 000040
【図４０】
0005902838.tif 000041
【図４１】
0005902838.tif 000042
【図４２】
0005902838.tif 000043
【図４３】
0005902838.tif 000044
【図４４】
0005902838.tif 000045